(57)【要約】  ある実施形態によれば、ハイブリッド自動再送要求（ＨＡＲＱ）フィードバックを基地局へ送信するためのワイヤレスデバイスによる方法が提供される。上記方法は、ＨＡＲＱフィードバックを提供するための構成を取得することと、少なくとも上記構成に基づいて、複数のコンポーネントキャリアについてＨＡＲＱフィードバックを提供するために適した第１のサイズのＨＡＲＱコードブックを決定することと、を含む。ある数のコンポーネントキャリアについてのダウンリンクスケジューリングがネットワークノードから受信される。スケジューリングされたコンポーネントキャリアの数がコンポーネントキャリアの閾値よりも少ないと判定される。第１のサイズよりも小さい第２のサイズのＨＡＲＱコードブックが少なくとも上記構成に基づいて決定され、第２のサイズのＨＡＲＱコードブックを用いて、上記ネットワークノードへＨＡＲＱフィードバックが送信される。【選択図】図９
2020537377.tif 000002
【特許請求の範囲】
【請求項１】
ハイブリッド自動再送要求（ＨＡＲＱ）フィードバックを基地局へ送信するための、ワイヤレスデバイスにより行われる方法であって、
ＨＡＲＱフィードバックを提供するための構成を取得することと、
少なくとも前記構成に基づいて、複数のコンポーネントキャリアについてＨＡＲＱフィードバックを提供するために適した第１のサイズのＨＡＲＱコードブックを決定することと、
ネットワークノードから、ある数のコンポーネントキャリアについてのダウンリンクスケジューリングを受信することと、
スケジューリングされたコンポーネントキャリアの前記数がコンポーネントキャリアの閾値よりも少ないと判定することと、
少なくとも前記構成に基づいて、前記第１のサイズよりも小さい第２のサイズのＨＡＲＱコードブックを決定することと、
前記第２のサイズの前記ＨＡＲＱコードブックを用いて、前記ネットワークノードへＨＡＲＱフィードバックを送信することと、を含む方法。
【請求項２】
請求項１の方法であって、
取得される前記構成は、第１のサイズの物理アップリンク制御チャネル（ＰＵＣＣＨ）リソースをさらに含み、
ＨＡＲＱフィードバックを送信することは、前記第１のサイズよりも小さい第２のサイズのＰＵＣＣＨリソースを用いてＨＡＲＱフィードバックを送信すること、を含む、方法。
【請求項３】
請求項２の方法であって、前記第２のサイズの前記ＰＵＣＣＨリソースは、前記第１のサイズの前記ＰＵＣＣＨリソースとは異なる、方法。
【請求項４】
請求項２の方法であって、前記第２のサイズの前記ＰＵＣＣＨリソースは、前記第１のサイズの前記ＰＵＣＣＨリソースと同一である、方法。
【請求項５】
請求項１〜４のいずれか１項の方法であって、
前記数のコンポーネントキャリアについての前記ダウンリンクスケジューリングは、ＰＵＣＣＨグループ内の単一のコンポーネントキャリアについてのダウンリンク割当てを含み、
前記ＨＡＲＱフィードバックは、前記ダウンリンク割当てについての単一のＨＡＲＱレポートを含む、方法。
【請求項６】
請求項５の方法であって、前記ダウンリンク割当ては、前記第２のサイズの前記ＨＡＲＱフィードバックを前記ネットワークノードへ送信するために使用すべきＰＵＣＣＨリソースを示す、方法。
【請求項７】
請求項６の方法であって、前記第２のサイズの前記ＨＡＲＱコードブックは、前記ダウンリンク割当てにより示される前記ＰＵＣＣＨリソースとの関連付けに基づいて決定される、方法。
【請求項８】
請求項５〜７のいずれか１項の方法であって、前記単一のコンポーネントキャリアは、プライマリダウンリンクコンポーネントキャリアを含む、方法。
【請求項９】
請求項５〜８のいずれか１項の方法であって、前記単一のコンポーネントキャリアは、ＰＵＳＣＨを搬送するＰＵＣＣＨグループのアップリンクコンポーネントキャリアに関連付けられるダウンリンクコンポーネントキャリアを含む、方法。
【請求項１０】
請求項１〜９のいずれか１項の方法であって、前記第２のサイズの前記ＨＡＲＱコードブックは、前記第１のサイズの前記ＨＡＲＱコードブックよりも少ないビット群である、方法。
【請求項１１】
請求項１０の方法であって、前記第２のサイズの前記ＨＡＲＱコードブックは、複数入力複数出力（ＭＩＭＯ）構成に少なくとも部分的に基づいて決定される、方法。
【請求項１２】
請求項１〜１１のいずれか１項の方法であって、前記第２のサイズの前記ＨＡＲＱコードブックを決定することは、複数のコードブックグループをまたいだバンドリングにより前記第２のサイズの前記ＨＡＲＱフィードバックを生成すること、を含む、方法。
【請求項１３】
請求項１〜１２のいずれか１項の方法であって、
アップリンク電力制御ルールに基づいて、前記第２のサイズの前記ＨＡＲＱコードブックについての電力レベルを決定すること、をさらに含み、前記電力レベルは、前記ＰＵＣＣＨの電力制御ループと、
前記第１のサイズの前記ＨＡＲＱコードブックのサイズ、及び
前記第２のサイズの前記ＨＡＲＱコードブックのサイズ、のうちの少なくとも一方とに基づくものであり、
前記電力レベルは、前記第２のサイズの前記ＨＡＲＱフィードバックを前記ネットワークノードへ送信するために使用される、方法。
【請求項１４】
請求項１〜１３のいずれか１項の方法であって、
前記数のコンポーネントキャリアについての前記ダウンリンクスケジューリングは、前記数のコンポーネントキャリアの各々についてのダウンリンク割当てを含み、
前記第２のサイズの前記ＨＡＲＱコードブックの前記サイズは、コンポーネントキャリアの前記数に基づいて決定される、方法。
【請求項１５】
ハイブリッド自動再送要求（ＨＡＲＱ）フィードバックを基地局へ送信するための、ワイヤレスデバイスであって、
処理回路を備え、前記処理回路は、
ＨＡＲＱフィードバックを提供するための構成を取得し、
少なくとも前記構成に基づいて、複数のコンポーネントキャリアについてＨＡＲＱフィードバックを提供するために適した第１のサイズのＨＡＲＱコードブックを決定し、
ネットワークノードから、ある数のコンポーネントキャリアについてのダウンリンクスケジューリングを受信し、
スケジューリングされたコンポーネントキャリアの前記数がコンポーネントキャリアの閾値よりも少ないと判定し、
少なくとも前記構成に基づいて、前記第１のサイズよりも小さい第２のサイズのＨＡＲＱコードブックを決定し、
前記第２のサイズの前記ＨＡＲＱコードブックを用いて、前記ネットワークノードへＨＡＲＱフィードバックを送信する、ように構成される、ワイヤレスデバイス。
【請求項１６】
請求項１５のワイヤレスデバイスであって、
取得される前記構成は、第１のサイズの物理アップリンク制御チャネル（ＰＵＣＣＨ）リソースをさらに含み、
ＨＡＲＱフィードバックを送信することは、前記第１のサイズよりも小さい第２のサイズのＰＵＣＣＨリソースを用いてＨＡＲＱフィードバックを送信すること、を含む、ワイヤレスデバイス。
【請求項１７】
請求項１６のワイヤレスデバイスであって、前記第２のサイズの前記ＰＵＣＣＨリソースは、前記第１のサイズの前記ＰＵＣＣＨリソースとは異なる、ワイヤレスデバイス。
【請求項１８】
請求項１６のワイヤレスデバイスであって、前記第２のサイズの前記ＰＵＣＣＨリソースは、前記第１のサイズの前記ＰＵＣＣＨリソースと同一である、ワイヤレスデバイス。
【請求項１９】
請求項１５〜１８のいずれか１項のワイヤレスデバイスであって、
前記数のコンポーネントキャリアについての前記ダウンリンクスケジューリングは、ＰＵＣＣＨグループ内の単一のコンポーネントキャリアについてのダウンリンク割当てを含み、
前記ＨＡＲＱフィードバックは、前記ダウンリンク割当てについての単一のＨＡＲＱレポートを含む、ワイヤレスデバイス。
【請求項２０】
請求項１９のワイヤレスデバイスであって、前記ダウンリンク割当ては、前記第２のサイズの前記ＨＡＲＱフィードバックを前記ネットワークノードへ送信するために使用すべきＰＵＣＣＨリソースを示す、ワイヤレスデバイス。
【請求項２１】
請求項２０のワイヤレスデバイスであって、前記第２のサイズの前記ＨＡＲＱコードブックは、前記ダウンリンク割当てにより示される前記ＰＵＣＣＨリソースとの関連付けに基づいて決定される、ワイヤレスデバイス。
【請求項２２】
請求項１９〜２１のいずれか１項のワイヤレスデバイスであって、前記単一のコンポーネントキャリアは、プライマリダウンリンクコンポーネントキャリアを含む、ワイヤレスデバイス。
【請求項２３】
請求項１９〜２２のいずれか１項のワイヤレスデバイスであって、前記単一のコンポーネントキャリアは、ＰＵＳＣＨを搬送するＰＵＣＣＨグループのアップリンクコンポーネントキャリアに関連付けられるダウンリンクコンポーネントキャリアを含む、ワイヤレスデバイス。
【請求項２４】
請求項１５〜２３のいずれか１項のワイヤレスデバイスであって、前記第２のサイズの前記ＨＡＲＱコードブックは、前記第１のサイズの前記ＨＡＲＱコードブックよりも少ないビット群である、ワイヤレスデバイス。
【請求項２５】
請求項２４のワイヤレスデバイスであって、前記第２のサイズの前記ＨＡＲＱコードブックは、複数入力複数出力（ＭＩＭＯ）構成に少なくとも部分的に基づいて決定される、ワイヤレスデバイス。
【請求項２６】
請求項１５〜２５のいずれか１項のワイヤレスデバイスであって、前記第２のサイズの前記ＨＡＲＱコードブックを決定することは、複数のコードブックグループをまたいだバンドリングにより前記第２のサイズの前記ＨＡＲＱフィードバックを生成すること、を含む、ワイヤレスデバイス。
【請求項２７】
請求項１５〜２６のいずれか１項のワイヤレスデバイスであって、前記処理回路は、
アップリンク電力制御ルールに基づいて、前記第２のサイズの前記ＨＡＲＱコードブックについての電力レベルを決定する、ように構成され、前記電力レベルは、前記ＰＵＣＣＨの電力制御ループと、
前記第１のサイズの前記ＨＡＲＱコードブックのサイズ、及び
前記第２のサイズの前記ＨＡＲＱコードブックのサイズ、のうちの少なくとも一方とに基づくものであり、
前記電力レベルは、前記第２のサイズの前記ＨＡＲＱフィードバックを前記ネットワークノードへ送信するために使用される、ワイヤレスデバイス。
【請求項２８】
請求項１５〜２７のいずれか１項のワイヤレスデバイスであって、
前記数のコンポーネントキャリアについての前記ダウンリンクスケジューリングは、前記数のコンポーネントキャリアの各々についてのダウンリンク割当てを含み、
前記第２のサイズの前記ＨＡＲＱコードブックの前記サイズは、コンポーネントキャリアの前記数に基づいて決定される、ワイヤレスデバイス。
【請求項２９】
ワイヤレスデバイスからのハイブリッド自動再送要求（ＨＡＲＱ）フィードバックをスケジューリングするための、基地局により行われる方法であって、
複数のコンポーネントキャリアについてＨＡＲＱフィードバックを提供するために適した第１のサイズのＨＡＲＱコードブックを用いてＨＡＲＱフィードバックを提供するように前記ワイヤレスデバイスを構成することと、
コンポーネントキャリアの閾値よりも少ない数のコンポーネントキャリアについてのダウンリンクスケジューリングを、前記ワイヤレスデバイスへ送信することと、
コンポーネントキャリアの前記数がコンポーネントキャリアの前記閾値よりも少ないことに応じて、前記第１のサイズよりも小さい第２のサイズのＨＡＲＱコードブックでＨＡＲＱフィードバックを受信することと、を含む方法。
【請求項３０】
請求項２９の方法であって、ＨＡＲＱフィードバックを提供するための第１のサイズの物理アップリンク制御チャネル（ＰＵＣＣＨ）リソースを使用するように前記ワイヤレスデバイスを構成すること、をさらに含み、前記ＨＡＲＱフィードバックを受信することは、前記第１のサイズよりも小さい第２のサイズのＰＵＣＣＨリソースを用いてＨＡＲＱフィードバックを受信すること、を含む、方法。
【請求項３１】
請求項３０の方法であって、前記第２のサイズの前記ＰＵＣＣＨリソースは、前記第１のサイズの前記ＰＵＣＣＨリソースとは異なる、方法。
【請求項３２】
請求項３０の方法であって、前記第２のサイズの前記ＰＵＣＣＨリソースは、前記第１のサイズの前記ＰＵＣＣＨリソースと同一である、方法。
【請求項３３】
請求項２９〜３２のいずれか１項の方法であって、
前記ダウンリンクスケジューリングは、単一のコンポーネントキャリアについての前記ワイヤレスデバイスへのダウンリンク割当てを含み、
前記ワイヤレスデバイスから受信される前記ＨＡＲＱフィードバックは、前記ダウンリンク割当てについての単一のＨＡＲＱレポートを含む、方法。
【請求項３４】
請求項３３の方法であって、前記ダウンリンク割当ては、前記第２のサイズの前記ＨＡＲＱフィードバックを前記ネットワークノードへ送信するために前記ワイヤレスデバイスにより使用すべきＰＵＣＣＨリソースを示す、方法。
【請求項３５】
請求項３４の方法であって、前記第２のサイズの前記ＨＡＲＱコードブックは、前記ダウンリンク割当てにより示される前記ＰＵＣＣＨリソースとの関連付けに基づいて決定される、方法。
【請求項３６】
請求項３３〜３５のいずれか１項の方法であって、前記単一のコンポーネントキャリアは、プライマリダウンリンクコンポーネントキャリアを含む、方法。
【請求項３７】
請求項３３〜３６のいずれか１項の方法であって、前記単一のコンポーネントキャリアは、ＰＵＳＣＨを搬送するＰＵＣＣＨグループのアップリンクコンポーネントキャリアに関連付けられるダウンリンクコンポーネントキャリアを含む、方法。
【請求項３８】
請求項２９〜３７のいずれか１項の方法であって、前記第２のサイズの前記ＨＡＲＱコードブックは、前記第１のサイズの前記ＨＡＲＱコードブックよりも少ないビット群である、方法。
【請求項３９】
請求項３８の方法であって、前記第２のサイズの前記ＨＡＲＱコードブックは、複数入力複数出力（ＭＩＭＯ）構成に少なくとも部分的に基づいて決定される、方法。
【請求項４０】
請求項２９〜３９のいずれか１項の方法であって、前記第２のサイズの前記ＨＡＲＱフィードバックは、複数の符号ブロックグループをまたいでバンドリングされる、方法。
【請求項４１】
請求項２９〜４０のいずれか１項の方法であって、前記第２のサイズの前記ＨＡＲＱコードブックについての電力レベルは、前記ＰＵＣＣＨの電力制御ループと、
前記第１のサイズの前記ＨＡＲＱコードブックのサイズ、及び
前記第２のサイズの前記ＨＡＲＱコードブックのサイズ、のうちの少なくとも一方とに基づくものである、方法。
【請求項４２】
請求項２９〜４１のいずれか１項の方法であって、
前記数のコンポーネントキャリアについての前記ダウンリンクスケジューリングは、前記数のコンポーネントキャリアの各々についてのダウンリンク割当てを含み、
前記第２のサイズの前記ＨＡＲＱコードブックの前記サイズは、コンポーネントキャリアの前記数に基づいて決定される、方法。
【請求項４３】
ワイヤレスデバイスからのハイブリッド自動再送要求（ＨＡＲＱ）フィードバックをスケジューリングするための基地局であって、
処理回路を備え、前記処理回路は、
複数のコンポーネントキャリアについてＨＡＲＱフィードバックを提供するために適した第１のサイズのＨＡＲＱコードブックを用いてＨＡＲＱフィードバックを提供するように前記ワイヤレスデバイスを構成し、
コンポーネントキャリアの閾値よりも少ない数のコンポーネントキャリアについてのダウンリンクスケジューリングを、前記ワイヤレスデバイスへ送信し、
コンポーネントキャリアの前記数がコンポーネントキャリアの前記閾値よりも少ないことに応じて、前記第１のサイズよりも小さい第２のサイズのＨＡＲＱコードブックでＨＡＲＱフィードバックを受信する、ように構成される、基地局。
【請求項４４】
請求項４３の基地局であって、前記処理回路は、ＨＡＲＱフィードバックを提供するための第１のサイズの物理アップリンク制御チャネル（ＰＵＣＣＨ）リソースを使用するように前記ワイヤレスデバイスを構成する、ように構成され、前記ＨＡＲＱフィードバックを受信することは、前記第１のサイズよりも小さい第２のサイズのＰＵＣＣＨリソースを用いてＨＡＲＱフィードバックを受信すること、を含む、基地局。
【請求項４５】
請求項４４の基地局であって、前記第２のサイズの前記ＰＵＣＣＨリソースは、前記第１のサイズの前記ＰＵＣＣＨリソースとは異なる、基地局。
【請求項４６】
請求項４４の基地局であって、前記第２のサイズの前記ＰＵＣＣＨリソースは、前記第１のサイズの前記ＰＵＣＣＨリソースと同一である、基地局。
【請求項４７】
請求項４３〜４６のいずれか１項の基地局であって、
前記ダウンリンクスケジューリングは、単一のコンポーネントキャリアについての前記ワイヤレスデバイスへのダウンリンク割当てを含み、
前記ワイヤレスデバイスから受信される前記ＨＡＲＱフィードバックは、前記ダウンリンク割当てについての単一のＨＡＲＱレポートを含む、基地局。
【請求項４８】
請求項４７の基地局であって、前記ダウンリンク割当ては、前記第２のサイズの前記ＨＡＲＱフィードバックを前記ネットワークノードへ送信するために前記ワイヤレスデバイスにより使用すべきＰＵＣＣＨリソースを示す、基地局。
【請求項４９】
請求項４８の基地局であって、前記第２のサイズの前記ＨＡＲＱコードブックは、前記ダウンリンク割当てにより示される前記ＰＵＣＣＨリソースとの関連付けに基づいて決定される、基地局。
【請求項５０】
請求項４７〜４９のいずれか１項の基地局であって、前記単一のコンポーネントキャリアは、プライマリダウンリンクコンポーネントキャリアを含む、基地局。
【請求項５１】
請求項４７〜５０のいずれか１項の基地局であって、前記単一のコンポーネントキャリアは、ＰＵＳＣＨを搬送するＰＵＣＣＨグループのアップリンクコンポーネントキャリアに関連付けられるダウンリンクコンポーネントキャリアを含む、基地局。
【請求項５２】
請求項４３〜５１のいずれか１項の基地局であって、前記第２のサイズの前記ＨＡＲＱコードブックは、前記第１のサイズの前記ＨＡＲＱコードブックよりも少ないビット群である、基地局。
【請求項５３】
請求項５２の基地局であって、前記第２のサイズの前記ＨＡＲＱコードブックは、複数入力複数出力（ＭＩＭＯ）構成に少なくとも部分的に基づいて決定される、基地局。
【請求項５４】
請求項４３〜５３のいずれか１項の基地局であって、前記第２のサイズの前記ＨＡＲＱフィードバックは、複数の符号ブロックグループをまたいでバンドリングされる、基地局。
【請求項５５】
請求項４３〜５４のいずれか１項の基地局であって、前記第２のサイズの前記ＨＡＲＱコードブックについての電力レベルは、前記ＰＵＣＣＨの電力制御ループと、
前記第１のサイズの前記ＨＡＲＱコードブックのサイズ、及び
前記第２のサイズの前記ＨＡＲＱコードブックのサイズ、のうちの少なくとも一方とに基づくものである、基地局。
【請求項５６】
請求項４３〜５５のいずれか１項の基地局であって、
前記数のコンポーネントキャリアについての前記ダウンリンクスケジューリングは、前記数のコンポーネントキャリアの各々についてのダウンリンク割当てを含み、
前記第２のサイズの前記ＨＡＲＱコードブックの前記サイズは、コンポーネントキャリアの前記数に基づいて決定される、基地局。
【発明の詳細な説明】
【背景技術】
【０００１】
キャリアアグリゲーションでは、１つのユーザ機器（ＵＥ）について複数のコンポーネントキャリアが構成される。コンポーネントキャリアを、いわゆるＰＵＣＣＨグループへ構成することができる。ＰＵＣＣＨグループの全てのコンポーネントキャリアについてのハイブリッド自動再送要求（ＨＡＲＱ）フィードバックが、ＰＵＣＣＨ又は物理アップリンク共有チャネル（ＰＵＳＣＨ）上のアップリンク制御情報（ＵＣＩ）を用いて、同じアップリンク（ＵＬ）上で送信される。
【０００２】
単一のＰＵＣＣＨ上でレポートされるべき確認応答／否定確認応答（ＡＣＫ／ＮＡＣＫ）ビットは、ＨＡＲＱコードブックへ配置される。ＨＡＲＱコードブックは、１つ又は複数の時間インスタンスでの同一の又は相異なるコンポーネントキャリアに由来するＡＣＫ／ＮＡＣＫビットを含むことができる。新無線（ＮＲ）は、ミニスロットと、１つのキャリア上での複数のヌメロロジー（numerologies）の混成とを定義しており、双方の機能がＨＡＲＱコードブックの設計を複雑化させる不規則な送信タイミングをもたらし得る。ＮＲは、トランスポートブロックのコードブロックのグループごとのＨＡＲＱフィードバックをも含んでおり、その機能は符号ブロックグループ（ＣＢＧ）フィードバックと呼ばれる。ＣＢＧサイズは、ＣＢＧごとに１コードブロックからトランスポートブロックごとに１ＣＢＧまでの範囲内であり得る（ＬＴＥと同じ）。ＣＢＧベースのＨＡＲＱフィードバックは、ＨＡＲＱフィードバックシグナリングの量を相当に増加させ得る。
【０００３】
半静的に構成されるＨＡＲＱコードブックにおいて、少なくともコンポーネントキャリアの次元でのビット数は、典型的には固定される。ＵＥは、いずれかのコンポーネントキャリア上で少なくとも１つのダウンリンク（ＤＬ）割当てを検出するとすぐに、構成済み又はアクティブ化済みの全てのコンポーネントキャリアのＨＡＲＱフィードバックを含むフィードバックビットマップを準備する。ダウンリンク割当てが検出されなかったコンポーネントキャリアについてのフィードバックは、ＮＡＣＫに設定される。１つのコンポーネントキャリアに要するフィードバックビットの数は、自身の複数入力複数出力（ＭＩＭＯ）構成及び自身のＣＢＧ構成により与えられる。構成済み／アクティブ化済みの全てのコンポーネントキャリアに要するＨＡＲＱフィードバックビットの数は、構成済み／アクティブ化済みの全てのコンポーネントキャリアにわたる、コンポーネントキャリアごとに要するフィードバックビットの合計である。
【０００４】
時間ドメインにおけるエントリの数もまた固定されることができ、又は、（構成済み／アクティブ化済みのコンポーネントキャリアのいずれかの上で）少なくとも１つのダウンリンク割当てが検出された時間インスタンスについてのみフィードバックがレポートされる。後者の場合、ダウンリンク割当ての逸失に対する手当てのために、ＤＡＩ（ダウンリンク割当てインデックス）が必要とされる。ＤＡＩは、好ましくは全てのダウンリンク割当てに含められ、現行のスロットかそれまでにスケジューリングされた時間インスタンス（例えば、スロット）の数を含む。
【０００５】
半静的に構成されたＨＡＲＱコードブックは、シンプルかつロバストだが、高いオーバヘッドをもたらしかねず、特に多くのコンポーネントキャリアが存在する場合にはそうであり、それらコンポーネントキャリアの全てがスケジューリングされるわけではないことが多く、及び／又は、いくつかのコンポーネントキャリアはＣＢＧと共に構成される。
【０００６】
ＬＴＥリリース１３は、かなり多くの数のコンポーネントキャリアの統合をサポートする。これまでのキャリアアグリゲーションにおいて使用されてきたような（コンポーネントキャリアの次元で）半静的に構成されるＨＡＲＱコードブックは、半静的に構成されたＨＡＲＱコードブックについて全ての構成済み／アクティブ化済みのコンポーネントキャリアのフィードバックが常に含まれるために、準最適である。構成済み／アクティブ化済みの数は多いがスケジューリングされた数は少ないコンポーネントキャリアでは、ＨＡＲＱコードブックのサイズは不必要に大きくなる。リリース１３は、（コンポーネントキャリア及び時間の双方の次元で）動的なＨＡＲＱコードブックを含む。ここでは、各ダウンリンク割当て（典型的には、ダウンリンク割当てはＤＣＩにおいて搬送される）は、カウンタ及びトータルＤＡＩフィールドを含む。カウンタＤＡＩフィールドは、現行のＨＡＲＱコードブックについてそれまでにスケジューリングされたダウンリンク割当ての数（現行のダウンリンク割当てを含む）をカウントする。コンポーネントキャリアは（例えば、キャリア周波数に従って）並べられ、カウンタＤＡＩはその順序でダウンリンク割当てをカウントする。時間軸に沿って、カウンタＤＡＩはリセットされない（カウンタは、スロット境界で連続的に増加する）。各ダウンリンク割当てにおけるトータルＤＡＩは、現行のＨＡＲＱコードブックについてそれまでにスケジューリングされたダウンリンク割当ての総数（現行のスロットを含む）に設定される。あるスロット内のトータルＤＡＩは、よって、スロットの最も高いカウンタＤＡＩに設定される。オーバヘッドを節約するために、例えばｍｏｄ２などであることの多いモジュロ演算がカウンタ及びトータルＤＡＩにしばしば適用され、例えばｍｏｄ２では２ビットのように、わずかなビットでの表現が可能とされる。カウンタ／トータルＤＡＩの仕組みは、若干の連続するダウンリンク割当てが逸失した場合に、受信機がＨＡＲＱコードブックサイズを復元することに加えて、ＨＡＲＱコードブックにインデックス付けすることを可能にする。図１は、カウンタ及びトータルＤＡＩの一例を示している。簡明さのために、図１ではモジュロ演算は適用されていない。
【０００７】
ＰＵＣＣＨは、ＡＣＫ／ＮＡＣＫ（ＨＡＲＱに関連するフィードバック）、アップリンク制御情報（ＵＣＩ）、スケジューリング要求（ＳＲ）又はビーム関連の情報を搬送することができる。
【０００８】
ＮＲは、相異なる多様なＰＵＣＣＨフォーマットを定義している。高いレベルでは、利用可能なＰＵＣＣＨフォーマットを、ショート及びロングＰＵＣＣＨフォーマットへグループ分けすることができる。
【０００９】
２ビット以下及び２ビットより大について別個のショートＰＵＣＣＨフォーマットが存在する。ショートＰＵＣＣＨを、スロット内の任意のシンボルにおいて構成することができる。スロットベースの送信については、スロットインターバルの末尾に向けてのショートＰＵＣＣＨが典型的な構成である一方で、スロットインターバルにわたって、又はその内部の早い方で、ミニスロットに対する応答におけるスケジューリング要求又はＰＵＣＣＨシグナリングのために、ＰＵＣＣＨリソースを使用することができる。
【００１０】
２ビット以下についてのＰＵＣＣＨは、シーケンス選択を使用する。シーケンス選択では、入力ビットによって利用可能なシーケンスのうちの１つが選択され、選択されたシーケンスにより入力情報が表される。例えば、１ビットについて２つのシーケンスを要する。他の例として、２ビットについて４つのシーケンスを要する。このＰＵＣＣＨは、１シンボル又は２シンボルのいずれかにわたるものであり得る。ＰＵＣＣＨが２シンボルにわたる場合、２番目のシンボルにおいて、潜在的にはシーケンスの他のセットで、かつ（周波数ダイバーシティを達成するために）他の周波数で、同一の情報が送信される（干渉をランダム化するためのシーケンスホッピング）。
【００１１】
２ビットより大についてのＰＵＣＣＨは、１シンボル又は２シンボルを使用する。１シンボルのケースでは、複数のサブキャリアを搬送するＤＭ−ＲＳ及びＵＣＩペイロードがインターリーブされる。ＵＣＩペイロードは、（ペイロードに依存して、リード・マラー符号か又はポーラ符号かのいずれかを用いて）符号化されるサブキャリアへの事前のマッピングである。２シンボルのケースでは、符号化されたＵＣＩペイロードは、双方のシンボルへマッピングされる。２シンボルのＰＵＣＣＨについて、典型的には、符号化レートは半分になり（２つのシンボル内で２倍の符号化ビットが利用可能）、２番目のシンボルは（周波数ダイバーシティを達成するために）異なる周波数で送信される。
【００１２】
２ビット以下及び２ビットより大について別個のロングＰＵＣＣＨフォーマットもまた存在する。どちらのバリエーションも、シンボル４個から１４個までの可変的な長さを有し、複数のスロットをまたいだアグリゲートさえ可能である。ロングＰＵＣＣＨは、ＰＵＣＣＨ長に依存して多かれ少なかれ可能な配置で、１スロット内の複数の位置に生じ得る。ロングＰＵＣＣＨは、周波数ホッピング有りでも無しでも構成されることができ、後者は周波数ダイバーシティの利点を有する。
【００１３】
２ビット以下についてのロングＰＵＣＣＨは、ＤＭ−ＲＳの配置が異なること及び可変長の性質を除いて、ＬＴＥにおけるＰＵＣＣＨフォーマット１ａ／１ｂと同様である。
【００１４】
２ビットより大についてのロングＰＵＣＣＨは、復調リファレンス信号（ＤＭ−ＲＳ）とＵＣＩを搬送するシンボルとの間で時間分割多重化（ＴＤＭ）を使用する。ＵＣＩペイロードは、（ペイロードに依存して、リード・マラー符号か又はポーラ符号かのいずれかを用いて）符号化され、変調シンボル（典型的には、ＱＰＳＫ（Quadrature Phase Shift Keying）又はπ／２ＢＰＳＫ（Binary Phase Shift Keying））へマッピングされ、ピーク対平均電力比（ＰＡＰＲ）を低減するために離散フーリエ変換（ＤＦＴ）プリコーディングされ、直交周波数分割多重化（ＯＦＤＭ）送信のために割当てられたサブキャリアへマッピングされる。
【００１５】
ＵＥは、タイプが同一であり又は相異なる複数のＰＵＣＣＨフォーマットと共に構成され得る。ＵＥが１つ又は２つのダウンリンク割当てのみでスケジューリングされる場合にはペイロードの小さいＰＵＣＣＨフォーマットが必要とされ、ＵＥが複数のダウンリンク割当てでスケジューリングされる場合にはペイロードの大きいフォーマットが必要とされる。ロングＰＵＣＣＨフォーマットは、より良好なカバレッジのためにも必要とされる。例えば、ＵＥを、２ビット以下についてショートＰＵＣＣＨで、２ビットより大についてロングＰＵＣＣＨで構成することができるであろう。非常に良好なカバレッジ内のＵＥは、２ビットより大についてさえショートＰＵＣＣＨフォーマットを使用してもよく、一方で、あまり良好ではないカバレッジ内のＵＥは、２ビット以下についてさえロングＰＵＣＣＨフォーマットを要する。図２は、複数のロング及びショートＰＵＣＣＨフォーマットと共に構成されたＵＥの一例を描いている。わずかに外側に出たリソースＰＲ４は、ＰＲ２及びＰＲ６と重なっていることを示しているはずである。
【００１６】
ＮＲは、ＰＵＣＣＨリソース及び時間の動的なインジケーションをサポートする。上述したように、ＰＵＣＣＨにより搬送されるＨＡＲＱコードブックは、複数の物理ダウンリンク共有チャネル（ＰＤＳＣＨ）からの（複数の時間インスタンス及び／又はコンポーネントキャリアからの）ＨＡＲＱフィードバックを収容し得る。ＰＵＣＣＨリソース及び時間は、動的にスケジューリングされる送信のケースでは、スケジューリングを行うダウンリンク割当てにおいて示されることになる。ＰＤＳＣＨとＰＵＣＣＨとの間の関連付けは、ＰＵＣＣＨリソース（ＰＲ）とスケジューリングＤＣＩにおいて示される時間（ＡＴ）とに基づくことができる。スケジューリングＤＣＩが同じＰＵＣＣＨリソース及び時間を示す全てのＰＤＳＣＨのＨＡＲＱフィードバックは、同じＨＡＲＱコードブックにおいて一緒にレポートされる。包含され得る最新のＰＤＳＣＨは、ＵＥがＨＡＲＱフィードバックを準備するために必要とする処理時間により制限される。図３は、一例としてのＨＡＲＱフィードバックの関連付けを示している。図示した例において、ＵＥは、同じスロット内のショートＰＵＣＣＨ上でＨＡＲＱフィードバックをレポートすることができる。所与のＰＵＣＣＨリソースについてＨＡＲＱコードブック内に包含されるべき最も早いＰＤＳＣＨは、最後に送信された同じＰＵＣＣＨリソースの時間ウィンドウが失効した後に、最初にスケジューリングされたＰＤＳＣＨである。図３では、スロットｎ−１のＰＤＳＣＨが、スロットｎ−１のＰＵＣＣＨリソースｍ上でレポートされる。スロットｎからのＰＤＳＣＨは、したがって、スロットｎ＋４内のＰＵＣＣＨリソース上で送信されるＨＡＲＱコードブック内に包含されるべき最初のＰＤＳＣＨである。
【００１７】
誤ったＨＡＲＱコードブックサイズ及び誤ったＨＡＲＱコードブックへのインデックス付けを回避するために、現行のＤＬ割当てまでを含むＤＬ割当てをカウントするＤＡＩが各ＤＬ割当て内に含められる。動的なＨＡＲＱコードブックの議論に関して上で概説したように、キャリアアグリゲーションのケースでは、カウンタ及びトータルＤＡＩが必要とされる。上で議論した図３では、キャリアアグリゲーションではないケースが示されている。
【００１８】
現在のところ、ある課題が存在する。例えば、ＵＥがキャリアアグリゲーション及び半静的に構成されるＨＡＲＱコードブックと併せてＣＢＧベースのフィードバックと共に構成される場合、ＵＥがＰＵＣＣＨグループの範囲内で数個あるいは１つだけのコンポーネントキャリア上でしかスケジューリングされない場合、不必要なオーバヘッドがかなり大きくなり得る。
【００１９】
共通するケースは、ＵＥがキャリアアグリゲーション構成であるにも関わらず１つのコンポーネントキャリア上でしかスケジューリングされないことである。したがって、例えば、より大きい固定的なＨＡＲＱコードブックを使用する負担無しで、単一のコンポーネントキャリア向けのＨＡＲＱフィードバックの送信を可能にすることによるなどして、このケースを最適化することに意味がある。
【００２０】
本開示のある観点及びそれらの実施形態は、これらの又は他の課題に対する解決策を提供し得る。例えば、ＵＥは、ＰＵＣＣＨグループの範囲内で単一のダウンリンク割当てしか受信しない場合、半静的にＨＡＲＱコードブックが構成されており、キャリアアグリゲーション及び潜在的にＣＢＧ構成があることに関わらず、その単一のコンポーネントキャリア向けのＨＡＲＱフィードバックをレポートする。受信したダウンリンク割当てがＣＢＧベースのフィードバックと共に構成されたコンポーネントキャリアに対するものである場合、ＣＢＧベースのフィードバックを用いてフィードバックを行うこともでき、又はフィードバックをＬＴＥでのようなトランスポートブロックベースのフィードバックに縮小することもできる。
【発明の概要】
【００２１】
既存の解決策に伴う上述した問題を解決するために、開示されるのは、ハイブリッド自動再送要求（ＨＡＲＱ）フィードバックを基地局へ送信するためのシステム及び方法である。例えば、ある実施形態は、キャリアアグリゲーションと共に構成され及びＨＡＲＱコードブックが半静的に構成されているものの単一のコンポーネントキャリアでしかスケジューリングされていないワイヤレスデバイスについてのＨＡＲＱコードブックを最適化することを含む。そうしたシナリオでは、ワイヤレスデバイスは、キャリアアグリゲーション及びより大きいＨＡＲＱコードブックを用いるよりもむしろ、より小さいＨＡＲＱコードブックを用いてＨＡＲＱフィードバックを送信し得る。
【００２２】
ある実施形態によれば、ＨＡＲＱフィードバックを基地局へ送信するためのワイヤレスデバイスによる方法が提供される。その方法は、ＨＡＲＱフィードバックを提供するための構成を取得することと、少なくとも上記構成に基づいて、複数のコンポーネントキャリアについてＨＡＲＱフィードバックを提供するために適した第１のサイズのＨＡＲＱコードブックを決定することと、を含む。ある数のコンポーネントキャリアについてのダウンリンクスケジューリングがネットワークノードから受信される。スケジューリングされたコンポーネントキャリアの数が、コンポーネントキャリアの閾値よりも少ないと判定される。第１のサイズよりも小さい第２のサイズのＨＡＲＱコードブックが少なくとも上記構成に基づいて決定され、第２のサイズのＨＡＲＱコードブックを用いて、上記ネットワークノードへＨＡＲＱフィードバックが送信される。
【００２３】
ある実施形態によれば、ＨＡＲＱフィードバックを基地局へ送信するためのワイヤレスデバイスが提供される。上記ワイヤレスデバイスは、ＨＡＲＱフィードバックを提供するための構成を取得する、ように構成される処理回路、を含む。少なくとも上記構成に基づいて、複数のコンポーネントキャリアについてＨＡＲＱフィードバックを提供するために適した第１のサイズのＨＡＲＱコードブックが決定される。ある数のコンポーネントキャリアについてのダウンリンクスケジューリングがネットワークノードから受信される。スケジューリングされたコンポーネントキャリアの数が、コンポーネントキャリアの閾値よりも少ないと判定される。第１のサイズよりも小さい第２のサイズのＨＡＲＱコードブックが少なくとも上記構成に基づいて決定され、第２のサイズのＨＡＲＱコードブックを用いて、上記ネットワークノードへＨＡＲＱフィードバックが送信される。
【００２４】
ある実施形態によれば、ワイヤレスデバイスからのＨＡＲＱフィードバックをスケジューリングするための、基地局により行われる方法は、複数のコンポーネントキャリアについてＨＡＲＱフィードバックを提供するために適した第１のサイズのＨＡＲＱコードブックを用いてＨＡＲＱフィードバックを提供するように上記ワイヤレスデバイスを構成すること、を含む。コンポーネントキャリアの閾値よりも少ない数のコンポーネントキャリアについてのダウンリンクスケジューリングが、上記ワイヤレスデバイスへ送信される。コンポーネントキャリアの上記数がコンポーネントキャリアの上記閾値よりも少ないことに応じて、上記第１のサイズよりも小さい第２のサイズのＨＡＲＱコードブックでＨＡＲＱフィードバックが受信される。
【００２５】
ある実施形態によれば、ＨＡＲＱフィードバックをワイヤレスデバイスから受信するための基地局が提供される。上記基地局は、複数のコンポーネントキャリアについてＨＡＲＱフィードバックを提供するために適した第１のサイズのＨＡＲＱコードブックを用いてＨＡＲＱフィードバックを提供するように上記ワイヤレスデバイスを構成する、ように構成される処理回路、を含む。コンポーネントキャリアの閾値よりも少ない数のコンポーネントキャリアについてのダウンリンクスケジューリングが、上記ワイヤレスデバイスへ送信される。コンポーネントキャリアの上記数がコンポーネントキャリアの上記閾値よりも少ないことに応じて、上記第１のサイズよりも小さい第２のサイズのＨＡＲＱコードブックでＨＡＲＱフィードバックが受信される。
【００２６】
ある実施形態は、次の技術的利点のうちの１つ以上を提供し得る。例えば、ある実施形態は、キャリアアグリゲーションと共に構成され、半静的に構成されたＨＡＲＱコードブック（及び潜在的にＣＢＧベースのフィードバック）を用いるもののＰＵＣＣＨグループの範囲内で単一のコンポーネントキャリアでしかスケジューリングされていないワイヤレスデバイスについてのオーバヘッドを低減し得る。
【図面の簡単な説明】
【００２７】
開示される実施形態並びにそれらの特徴及び利点のより充分な理解のために、これより、次の添付図面と併せて以下の説明への参照がなされる：
【図１】カウンタ及びトータルダウンリンク割当てインデックス（ＤＡＩ）の一例を示している。
【図２】複数のロング及びショートＰＵＣＣＨフォーマットと共に構成されたＵＥの一例を示している。
【図３】一例としてのＨＡＲＱフィードバックの関連付けを示している。
【図４】ある実施形態に係る一例としてのワイヤレスネットワークを示している。
【図５】ある実施形態に係る一例としてのネットワークノードを示している。
【図６】ある実施形態に係る一例としてのワイヤレスデバイスを示している。
【図７】ある実施形態に係る一例としてのユーザ機器（ＵＥ）を示している。
【図８】ある実施形態に係る、いくつかの実施形態により実装される機能群が仮想化され得る仮想化環境を示している。
【図９】ある実施形態に係る、ワイヤレスデバイスによる一例としての方法を示している。
【図１０】ある実施形態に係る、ネットワークノードによる一例としての方法を示している。
【図１１】ある実施形態に係る、ワイヤレスネットワーク内の一例としての仮想化装置を示している。
【図１２】ある実施形態に係る、ワイヤレスデバイスによりＨＡＲＱフィードバックを送信するための他の方法を示している。
【図１３】ある実施形態に係る、ワイヤレスネットワークにおける他の例としての仮想化装置を示している。
【図１４】ある実施形態に係る、ワイヤレスデバイスからのＨＡＲＱフィードバックをスケジューリングするためのネットワークノードによる他の方法を示している。
【図１５】ある実施形態に係る、ワイヤレスネットワーク内の他の例としての仮想化装置を示している。
【発明を実施するための形態】
【００２８】
ここで企図される実施形態のいくつかが、これより添付図面を参照しながらより十分に説明されるであろう。しかしながら、ここで開示される主題のスコープの範囲内に他の実施形態も含まれるものであり、開示される主題は、ここで説示される実施形態のみに限定されるものとして解釈されるべきではなく、むしろ、それら実施形態は当業者へその主題のスコープを伝えるための例として提供される。
【００２９】
コンポーネントキャリアの構成及び／又はアクティブ化は、瞬間的な処理ではない−それは変更後の構成が現れるまでに時間を要する。これは、キャリアアグリゲーション構成は変更されないがコンポーネントキャリアがアクティブ化され又は非アクティブ化される場合であっても当てはまる。そのため、ＵＥが複数のコンポーネントキャリア上で構成されかつアクティブであるかに関わらず、ＵＥが１つのコンポーネントキャリア上でしかスケジューリングされないことは、珍しいことではない。そして、ＵＥが符号ブロックグループ（ＣＢＧ）ベースのハイブリッド自動再送要求（ＨＡＲＱ）フィードバックと共に構成され半静的にＨＡＲＱコードブックを構成されてもいる場合、単一のコンポーネントキャリアについてＨＡＲＱフィードバックをレポートするためのオーバヘッドは非常に大きくなりかねない。単一のコンポーネントキャリアでのスケジューリングが珍しくないとすると、そのケースについて最適化を行うことには意味がある。
【００３０】
ある実施形態によれば、ユーザ機器（ＵＥ）は、物理アップリンク制御チャネル（ＰＵＣＣＨ）グループの範囲内で単一のダウンリンクコンポーネントキャリアに対する１つのダウンリンク割当てのみを受信すると、半静的に構成されたキャリアアグリゲーションＨＡＲＱコードブックを使用せず、単一のＨＡＲＱレポートのために採用されるより小さい他のＨＡＲＱコードブックを使用する。その単一のダウンリンクコンポーネントキャリアとは、任意のダウンリンクコンポーネントキャリアであってよく、又は特定の１つであってもよく、例えば、１）そのダウンリンクコンポーネントキャリアが構成されてもよく、２）プライマリダウンリンクコンポーネントキャリアであってもよく、３）ＰＵＣＣＨを搬送するＰＵＣＣＨグループのアップリンクキャリアに関連付けられるダウンリンクキャリアであってもよい。ダウンリンク割当てが受信されたダウンリンクコンポーネントキャリアがＨＡＲＱフィードバックの縮小のために“ふさわしい”かに依存して、より小さいＨＡＲＱコードブックか又は通常の半静的に構成されたキャリアアグリゲーションＨＡＲＱコードブックかが使用される。
【００３１】
具体的な実施形態において、例えば、ダウンリンク割当てが受信されたダウンリンクコンポーネントキャリアがＣＢＧベースのＨＡＲＱフィードバックと共に構成されている場合、ＵＥは、ＣＢＧ構成を用いてＨＡＲＱフィードバックをレポートするか又はＨＡＲＱフィードバックをより少ないビット群でレポートするかのいずれかであり得る。より少ないビット群でのＨＡＲＱフィードバックは、トランスポートブロックベースのＨＡＲＱフィードバック（ＬＴＥと同様）を得るために全てにわたるか、又はより大きいＣＢＧサイズでＣＢＧベースのフィードバックを得るためにＣＢＧの複数のグループにわたるかのいずれかで、バンドリングにより生成され得る。
【００３２】
具体的な実施形態において、複数入力複数出力（ＭＩＭＯ）構成もまた、ＨＡＲＱフィードバックビット数を決定するために使用されてもよい。例えば、ＵＥは、ＭＩＭＯ構成に従ってＨＡＲＱフィードバックをレポートするか、又は空間バンドリングを適用するかのいずれかであり得る。これは、ＣＢＧの次元での潜在的なフィードバックの縮小には依存せずに、行われても行われなくてもよい。
【００３３】
具体的な実施形態によれば、受信される単一のダウンリンク割当てについてのＨＡＲＱフィードバックが送信され得るのは、同一のＰＵＣＣＨリソースか又は異なるＰＵＣＣＨリソースかのいずれかであり得る。同一のＰＵＣＣＨリソース上でＨＡＲＱフィードバックを送信することは、いくつかの実施形態において、ｇＮＢが１つのコンポーネントキャリア上にのみＵＥをスケジューリングしたという先験的な知識を使用できることから有利である。そのため、“大きい”ＰＵＣＣＨリソースにも関わらず、復号の改善を得ることができ、それを用いて、より少ないビット群を送信することを所与として、１）性能の改善か、又は２）より小さい電力でＵＥが送信を行うことを可能にするか、のいずれかができる。後者ケースでは、２つ目のより小さいＨＡＲＱコードブック向けに電力をいかに扱うかについて、特別なアップリンク電力制御ルールが仕様化されてもよい。２つ目のより小さいＨＡＲＱコードブックでの送信のために使用される電力は、例えば、ＰＵＣＣＨの電力制御ループと共に、１）第１の半静的に構成されたＨＡＲＱコードブックのサイズ、及び２）第２のより小さいＨＡＲＱコードブックのサイズ、のうちの少なくとも１つと、に基づくものであり得るであろう。
【００３４】
ある実施形態によれば、２つ目のより小さいＨＡＲＱコードブックは、“より小さい”ＰＵＣＣＨリソース上で送信され得る。ＮＲは、ダウンリンク割当てが使用すべきＰＵＣＣＨリソースを示すという明示的なＰＵＣＣＨリソース割当てを使用する。この仕組を用いて、より小さいＰＵＣＣＨリソースへのＰＵＣＣＨリソースの切り替えを行うことも容易である。ＵＥは、２つ目のより小さいＨＡＲＱコードブックのサイズを使用し、より小さいＰＵＣＣＨリソースを用いて２つ目のより小さいＨＡＲＱコードブックを送信してもよい。代替的に、示されたより小さいＰＵＣＣＨリソースは、使用すべきあるＨＡＲＱコードブックサイズでタグ付け／構成／割当てされてもよい。いくつかの実施形態において、ＰＵＣＣＨリソースがＨＡＲＱコードブックサイズと共に構成されてもよい。このケースでは、単一のダウンリンク割当てのＨＡＲＱフィードバックが、より小さいＰＵＣＣＨリソースに関連付けられているＨＡＲＱコードブックサイズを用いて送信される。実際のＨＡＲＱフィードバックサイズ及びより小さいＰＵＣＣＨリソースのコードブックサイズが適合しない場合、サイズを適合させるために（典型的にはＮＡＣＫでの）パディング又はバンドリングが適用されてもよい。
【００３５】
より広く言うと、（ＣＢＧ有り又は無しで）キャリアアグリゲーションと共に構成され及び第１のＨＡＲＱコードブックが半静的に構成されているＵＥが１つ以上のダウンリンク割当てを受信しかつスケジューリングＰＤＣＣＨが半静的に構成されているキャリアアグリゲーション用の第１のＨＡＲＱコードブックに対し小さすぎるＰＵＣＣＨリソースを示している場合、ＵＥは、示されたＰＵＣＣＨリソースに見合う第２のＨＡＲＱコードブックを使用し得る。第２のＨＡＲＱコードブックは、半静的に構成されてもよく、又は動的に導かれてもよい。例えば、第２のＨＡＲＱコードブックは、受信されたダウンリンク割当ての数から動的に導かれてもよい。ＵＥがＣＢＧと共に構成されている場合、ＵＥは、例えばバンドリングを介するなどして、ＣＢＧフィードバックサイズの縮小を適用してもよい。
【００３６】
図４は、いくつかの実施形態に係るワイヤレスネットワークを示している。ここで説明した主題は任意の適したコンポーネントを用いる任意の適切なタイプのシステムにおいて実装されてよいものの、ここで開示した実施形態は、図４に示した例示的なワイヤレスネットワークなどのワイヤレスネットワークとの関連で説明される。簡明さのために、図４のワイヤレスネットワークでは、ネットワーク１０６、ネットワークノード１６０及び１６０ｂ、並びにＷＤ１１０、１１０ｂ及び１１０ｃのみが描かれている。実際には、ワイヤレスネットワークは、固定電話、サービスプロバイダ又は何らかの他のネットワークノード若しくはエンドデバイスといった、ワイヤレスデバイス間の又はワイヤレスデバイスと他の通信デバイスとの間の通信をサポートするために適した任意の追加的なエレメントをさらに含んでよい。図示したコンポーネントのうち、ネットワークノード１６０及びワイヤレスデバイス（ＷＤ）１１０が追加的な詳細と共に描かれている。ワイヤレスネットワークは、当該ワイヤレスネットワークにより又は当該ワイヤレスネットワークを介して提供されるサービスに対するワイヤレスデバイスのアクセス及び／又はその使用を促進するために、１つ以上のワイヤレスデバイスへ通信及び他のタイプのサービスを提供し得る。
【００３７】
ワイヤレスネットワークは、任意のタイプの通信、電気通信、データ、セルラー、及び／若しくは無線ネットワーク若しくは他の類似するタイプのシステムを含んでよく、及び／又はそれらとインタフェースしてよい。いくつかの実施形態において、ワイヤレスネットワークは、特定の規格又は他のタイプの予め定義されるルール若しくは手続に従って動作するように構成され得る。よって、ワイヤレスネットワークの具体的な実施形態は、ＧＳＭ（Global System for Mobile Communications）、ＵＭＴＳ（Universal Mobile Telecommunications System）、ＬＴＥ（Long Term Evolution）及び／若しくは他の適した２Ｇ、３Ｇ、４Ｇ若しくは５Ｇ規格、ＩＥＥＥ８０２．１１規格といったＷＬＡＮ（Wireless Local Area Network）規格、並びに／又は、ＷｉＭａｘ（Worldwide Interoperability for Microwave Access）、Ｂｌｕｅｔｏｏｔｈ、Ｚ−Ｗａｖｅ及び／若しくはＺｉｇＢｅｅ規格といった任意の他の適切なワイヤレス通信規格などの通信規格を実装し得る。
【００３８】
ネットワーク１０６は、デバイス間の通信を可能にする、１つ以上のバックホールネットワーク、コアネットワーク、ＩＰネットワーク、ＰＳＴＮ（Public Switched Telephone Networks）、パケットデータネットワーク、光ネットワーク、ＷＡＮ（Wide-Area Networks）、ＬＡＮ（Local Area Networks）、ＷＬＡＮ（Wireless Local Area Networks）、有線ネットワーク、ワイヤレスネットワーク、メトロポリタンエリアネットワーク、及び他のネットワークを含んでよい。
【００３９】
ネットワークノード１６０及びＷＤ１１０は、以下により詳細に説明される多様なコンポーネントを含む。それらコンポーネントは、ワイヤレスネットワークにおける無線接続の提供など、ネットワークノード及び／又はワイヤレスデバイスの機能性を提供するために連携して作動する。様々な実施形態において、ワイヤレスネットワークは、いかなる数の有線若しくは無線ネットワーク、ネットワークノード、基地局、コントローラ、ワイヤレスデバイス、中継局、並びに／又は、有線接続か無線接続かに関わらずデータ及び／若しくは信号の通信を促進し若しくは当該通信に参加し得る任意の他のコンポーネント若しくはシステムを含んでもよい。
【００４０】
図５は、ある実施形態に係る一例としてのネットワークノードを示している。ここで使用されるところでは、ネットワークノードは、ワイヤレスデバイス及び／若しくは他のネットワークノードと直接的に若しくは間接的に通信することが可能であり、そのように構成され、配置され及び／若しくは動作可能な機器、又は、ワイヤレスデバイスについてワイヤレスアクセスを可能にし及び／若しくは提供し、及び／若しくはワイヤレスネットワークにおける他の機能（例えば、管理）を実行するためのワイヤレスネットワーク内の機器をいう。ネットワークノードの例は、限定ではないものの、アクセスポイント（ＡＰ）（例えば、無線アクセスポイント）や基地局（ＢＳ）（例えば、無線基地局、ノードＢ、進化型ノードＢ（ｅＮＢ）、及びＮＲノードＢ（ｇＮＢ））を含む。基地局は、それらが提供するカバレッジの量（あるいは別の言い方をすると、それらの送信電力レベル）に基づいてカテゴリ分けされてよく、その場合、フェムト基地局、ピコ基地局、マイクロ基地局又はマクロ基地局としても言及され得る。基地局は、中継ノード又は中継機を制御する中継ドナーノードであってもよい。ネットワークノードは、集中型デジタルユニット、及び／又はリモート無線ヘッド（ＲＲＨ）ということもあるリモート無線ユニット（ＲＲＵ）といった、分散型の無線基地局の１つ以上の（又は全ての）部分を含んでもよい。そうしたリモート無線ユニットは、アンテナ統合型無線機のようにアンテナと統合されてもよく又は統合されなくてもよい。分散型無線基地局の一部は、分散アンテナシステム（ＤＡＳ）内のノードとして言及されてもよい。また別のネットワークノードの例は、ＭＳＲ  ＢＳといったマルチ標準無線（ＭＳＲ）機器、無線ネットワークコントローラ（ＲＮＣ）若しくは基地局コントローラ（ＢＳＣ）といったネットワークコントローラ、基地送受信局（ＢＴＳ）、送信ポイント、送信ノード、マルチセル／マルチキャスト協調エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）及び／又ＭＤＴを含む。他の例として、ネットワークノードは、以下でより詳細に説明するような仮想ネットワークノードであってもよい。しかしながら、より広く言うと、ネットワークノードは、ワイヤレスネットワークへのアクセスをワイヤレスデバイスに可能にし及び／若しくは提供し、又は、ワイヤレスネットワークへアクセスしたワイヤレスデバイスへ何らかのサービスを提供することが可能であり、そのように構成され、配置され及び／若しくは動作可能ないかなる適したデバイス（又はデバイスの集合）を表していてもよい。
【００４１】
図５において、ネットワークノード１６０は、処理回路１７０、デバイス読取可能な媒体１８０、インタフェース１９０、補助的機器１８４、電源１８６、電力回路１８７及びアンテナ１６２を含む。図５の例示的なワイヤレスネットワークに示したネットワークノード１６０は、ハードウェアコンポーネントの図示した組み合わせを含むデバイスを表し得るものの、他の実施形態は、コンポーネントの異なる組み合わせを伴うネットワークノードを含んでもよい。理解されるべきこととして、ネットワークノードは、ここで開示されるタスク、特徴、機能及び方法を実行するために必要とされるハードウェア並びに／又はソフトウェアの任意の適した組み合わせを含む。そのうえ、ネットワークノード１６０のコンポーネントはより大きいボックス内に位置する単一のボックスとして描かれており、又は複数のボックス内で入れ子となっているが、実際には、ネットワークノードは、図示した単一のコンポーネントを作り上げる複数の異なる物理コンポーネントを含んでよい（例えば、デバイス読取可能な媒体１８０は、複数の別個のハードドライブと共に、複数のＲＡＭモジュールを含んでもよい）。
【００４２】
同様に、ネットワークノード１６０は、自身のそれぞれのコンポーネントを各々が有し得る、複数の物理的に別個のコンポーネント（例えば、ノードＢコンポーネント及びＲＮＣコンポーネント、又は、ＢＴＳコンポーネント及びＢＳＣコンポーネントなど）から構成されてもよい。ネットワークノード１６０が複数の別個のコンポーネント（例えば、ＢＴＳ及びＢＳＣコンポーネント）を備えるあるシナリオにおいて、それら別個のコンポーネントの１つ以上がいくつかのネットワークノードの間で共有されてもよい。例えば、単一のＲＮＣが複数のノードＢを制御してもよい。そうしたシナリオでは、ノードＢ及びＲＮＣの一意な各ペアが、いくつかの例において、単一の別個のネットワークノードとみなされてもよい。いくつかの実施形態において、ネットワークノード１６０は、複数の無線アクセス技術（ＲＡＴ）をサポートするように構成されてもよい。そうした実施形態において、いくつかのコンポーネントが冗長化されてもよく（例えば、異なるＲＡＴ向けの別個のデバイス読取可能な媒体１８０）、いくつかのコンポーネントが再利用されてもよい（例えば、同一のアンテナ１６２がそれらＲＡＴにより共有されてもよい）。ネットワークノード１６０は、例えばＧＳＭ、ＷＣＤＭＡ、ＬＴＥ、ＮＲ、ＷｉＦｉ又はＢｌｕｅｔｏｏｔｈなどのワイヤレス技術といった、ネットワークノード１６０へ統合される様々なワイヤレス技術のための多様な例示したコンポーネントの複数のセットを含んでもよい。それらワイヤレス技術は、ネットワークノード１６０内の同一の若しくは異なるチップ又はチップのセット及び他のコンポーネントへ統合されてよい。
【００４３】
処理回路１７０は、ネットワークノードにより提供されるものとしてここで説明される何らかの決定、計算又は類似の動作（例えば、ある取得動作）を実行するように構成される。処理回路１７０により実行されるこれら動作は、例えば、取得される情報を他の情報へ変換すること、取得される情報若しくは変換後の情報をネットワークノードにおいて記憶されている情報と比較すること、及び／又は取得される情報若しくは変換後の情報に基づいて１つ以上の動作を実行すること、並びにその処理の結果として決定を下すことにより、処理回路１７０により取得される情報を処理することを含んでよい。
【００４４】
処理回路１７０は、単独で若しくはデバイス読取可能な媒体１８０といった他のネットワークノード１６０のコンポーネントと連携してネットワークノード１６０の機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ又は他の適したコンピューティングデバイス、リソース若しくはハードウェア、ソフトウェア及び／若しくは符号化ロジックの組み合わせ、のうちの１つ以上の組み合わせを含んでよい。例えば、処理回路１７０は、デバイス読取可能な媒体１８０において又は処理回路１７０内のメモリにおいて記憶されている命令を実行し得る。そうした機能性は、ここで議論される多様なワイヤレスの特徴、機能又は恩恵のいずれかを提供することを含み得る。いくつかの実施形態において、処理回路１７０は、システムオンチップ（ＳＯＣ）を含んでもよい。
【００４５】
いくつかの実施形態において、処理回路１７０は、無線周波数（ＲＦ）送受信機回路１７２及びベースバンド処理回路１７４のうちの１つ以上を含んでもよい。いくつかの実施形態において、無線周波数（ＲＦ）送受信機回路１７２及びベースバンド処理回路１７４は、無線ユニット及びデジタルユニットのように、別個のチップ（若しくはチップのセット）、基盤又はユニット上にあってもよい。代替的な実施形態において、ＲＦ送受信機回路１７２及びベースバンド処理回路１７４の一部又は全てが同一のチップ若しくはチップのセット、基盤又はユニット上にあってもよい。
【００４６】
ある実施形態において、ネットワークノード、基地局、ｅＮＢ若しくは他のそうしたネットワークデバイスにより提供されるものとしてここで説明した機能性のいくつ又は全ては、デバイス読取可能な媒体１８０又は処理回路１７０内のメモリに記憶される命令を処理回路１７０が実行することにより行われてもよい。代替的な実施形態において、その機能性のいくつか又は全ては、別個の又は離散的なデバイス読取可能な媒体に記憶される命令を実行することなく、ハードワイヤ方式などで処理回路１７０により提供されてもよい。それら実施形態のいずれにおいても、デバイス読取可能な記憶媒体に記憶される命令を実行するか否かに関わらず、説明される機能性を実行するように処理回路１７０を構成することができる。そうした機能性により提供される恩恵は、処理回路１７０だけ又はネットワークノード１６０の他のコンポーネントに限定されることなく、全体としてネットワークノード１６０により、並びに／又はエンドユーザ及びワイヤレスネットワーク全般により享受される。
【００４７】
デバイス読取可能な媒体１８０は、限定ではないものの、処理回路１７０により使用され得る情報、データ及び／若しくは命令を記憶する、永続的なストレージ、ソリッドステートメモリ、遠隔搭載型のメモリ、磁気媒体、光媒体、ランダムアクセスメモリ（ＲＡＭ）、読み取り専用メモリ（ＲＯＭ）、大規模記憶媒体（例えば、ハードディスク）、取外し可能記憶媒体（例えば、フラッシュドライブ、コンパクトディスク（ＣＤ）若しくはデジタルビデオディスク（ＤＶＤ））、並びに／又は、他の任意の揮発性の若しくは不揮発性の非一時的なデバイス読取可能な及び／若しくはコンピュータ実行可能なメモリデバイスを含む、いかなる形式の揮発性の又は不揮発性のコンピュータ読取可能なメモリを含んでもよい。デバイス読取可能な媒体１８０は、処理回路１７０により実行可能であってネットワークノード１６０により利用可能な、コンピュータプログラム、ソフトウェア、ロジック、ルール、コード、テーブルなどのうちの１つ以上を含むアプリケーション、及び／又は他の命令を含む任意の適した命令、データ又は情報を記憶し得る。デバイス読取可能な媒体１８０は、処理回路１７０により生み出される任意の計算結果、及び／又はインタフェース１９０を介して受信される任意のデータを記憶するために使用されてもよい。いくつかの実施形態において、処理回路１７０及びデバイス読取可能な媒体１８０は、統合されるものとみなされてもよい。
【００４８】
インタフェース１９０は、ネットワークノード１６０、ネットワーク１０６及び／又はＷＤ１１０の間での、シグナリング及び／又はデータの有線若しくは無線通信において使用される。図示したように、インタフェース１９０は、例えば、有線接続上でネットワーク１０６との間でデータを送受信するためのポート／端子１９４を含む。インタフェース１９０は、アンテナ１６２へ連結され又はある実施形態ではアンテナ１６２の一部であり得る無線フロントエンド回路１９２をも含む。無線フロントエンド回路１９２は、フィルタ１９８及び増幅器１９６を含む。無線フロントエンド回路１９２は、アンテナ１６２及び処理回路１７０へ接続され得る。無線フロントエンド回路は、アンテナ１６２及び処理回路１７０の間で通信される信号を調整するように構成されてもよい。無線フロントエンド回路１９２は、無線接続を介して他のネットワークノード又はＷＤへ送出されるべきデジタルデータを受け付け得る。無線フロントエンド回路１９２は、そのデジタルデータを、フィルタ１９８及び／又は増幅器１９６の組み合わせを用いて、適切なチャネル及び帯域幅パラメータを有する無線信号へ変換し得る。そして、無線信号は、アンテナ１６２を介して送信され得る。同様に、データが受信される場合、アンテナ１６２が無線信号を収集し、次いで無線信号は無線フロントエンド回路１９２によりデジタルデータへ変換され得る。デジタルデータは、処理回路１７０へ受け渡され得る。他の実施形態において、上記インタフェースは、異なるコンポーネント及び／又はコンポーネントの異なる組み合わせを含んでもよい。
【００４９】
ある代替的な実施形態において、ネットワークノード１６０は、別個の無線フロントエンド回路１９２を含まなくてもよく、その代わりに、処理回路１７０が、無線フロントエンド回路を含んでもよく、別個の無線フロントエンド回路１９２無しでアンテナ１６２へ接続されてもよい。同様に、いくつかの実施形態において、ＲＦ送受信機回路１７２の全て又はいくつかがインタフェース１９０の一部であるとみなされてもよい。また別の実施形態において、インタフェース１９０は、無線ユニット（図示せず）の一部として、１つ以上のポート若しくは端子１９４、無線フロントエンド回路１９２及びＲＦ送受信機回路１７２を含んでもよく、インタフェース１９０はデジタルユニット（図示せず）の一部であるベースバンド処理回路１７４と通信してもよい。
【００５０】
アンテナ１６２は、ワイヤレス信号を送信し及び／又は受信するように構成される、１つ以上のアンテナ若しくはアンテナアレイを含んでもよい。アンテナ１６２は、無線フロントエンド回路１９０へ連結されてもよく、データ及び／又は信号をワイヤレスに送信し及び受信することの可能ないかなるタイプのアンテナであってもよい。いくつかの実施形態において、アンテナ１６２は、例えば２ＧＨｚと６６ＧＨｚとの間の無線信号を送受信するように動作可能な、１つ以上の全方向アンテナ、セクタアンテナ又はパネルアンテナを含んでもよい。全方向アンテナは、任意の方向の無線信号を送受信するために使用されてよく、セクタアンテナは、具体的なエリア内のデバイスから無線信号を送受信するために使用されてよく、パネルアンテナは、相対的に直線状の無線信号を送受信するために使用される見通し線アンテナであってよい。いくつかの例において、１つよりも多くのアンテナの使用は、ＭＩＭＯとして言及されてもよい。ある実施形態において、アンテナ１６２は、ネットワークノード１６０とは別個であってもよく、インタフェース又はポートを通じてネットワークノード１６０へ接続可能であってもよい。
【００５１】
アンテナ１６２、インタフェース１９０及び／又は処理回路１７０は、ネットワークノードにより実行されるものとしてここで説明される何らかの受信動作及び／又はある取得動作を実行するように構成され得る。どのような情報、データ及び／又は信号が、ワイヤレスデバイス、他のネットワークノード及び／又は任意の他のネットワーク機器から受信されてもよい。同様に、アンテナ１６２、インタフェース１９０及び／又は処理回路１７０は、ネットワークノードにより実行されるものとしてここで説明される何らかの送信動作を実行するように構成され得る。どのような情報、データ及び／又は信号が、ワイヤレスデバイス、他のネットワークノード及び／又は任意の他のネットワーク機器へ送信されてもよい。
【００５２】
電力回路１８７は、電力管理回路を含んでもよく又は電力管理回路へ連結されてもよく、ここで説明される機能性を実行するための電力をネットワークノード１６０のコンポーネントへ供給するように構成される。電力回路１８７は、電源１８６から電力を受け付けてよい。電源１８６及び／又は電力回路１８７は、それぞれのコンポーネントに適した形式で（例えば、各コンポーネントそれぞれにとって必要とされる電圧及び電流のレベルで）、ネットワークノード１６０の多様なコンポーネントへ電力を提供するように構成され得る。電源１８６は、電力回路１８７及び／若しくはネットワークノード１６０に含まれるか又は外部にあるかのいずれかであり得る。例えば、ネットワークノード１６０は、電気ケーブルといった入力回路若しくはインタフェースを介して外部の電源（例えば、電気コンセント）へ接続可能であってもよく、それにより外部の電源が電力回路１８７へ電力を供給する。さらなる例として、電源１８６は、電力回路１８７へ接続され若しくは電力回路１８７へ統合されるバッテリ又はバッテリパックの形式の電力のソースを含んでもよい。バッテリは、外部の電源の障害に備えてバックアップ電力を提供してもよい。太陽光発電デバイスといった他のタイプの電源もまた使用されてよい。
【００５３】
ネットワークノード１６０の代替的な実施形態は、ここで説明される機能性のいずれか及び／又はここで説明される主題をサポートするために必要な何らかの機能性を含む当該ネットワークノードの機能性のある観点を提供することに責任を有し得る、図５に示したもの以外の追加的なコンポーネントを含んでもよい。例えば、ネットワークノード１６０は、ネットワークノード１６０への情報の入力を可能にし、及びネットワークノード１６０からの情報の出力を可能にするユーザインタフェース機器を含んでもよい。これにより、ユーザがネットワークノード１６０について診断、メンテナンス、修理及び他の管理機能を実行することが可能となり得る。
【００５４】
図６は、具体的な実施形態に係る一例としてのワイヤレスデバイス（ＷＤ）を示している。ここで使用されるところでは、ＷＤは、ネットワークノード及び／若しくは他のワイヤレスデバイスとワイヤレスに通信することが可能であり、そのように構成され、配置され並びに／又は動作可能なデバイスをいう。別段注記されない限り、ＷＤとの用語は、ここではユーザ機器（ＵＥ）と互換可能に使用され得る。ワイヤレスに通信することは、電磁波、無線波、赤外線波、及び／若しくは空中を通じて情報を運ぶために適した他のタイプの信号を用いてワイヤレス信号を送信し並びに／又は受信することを包含し得る。いくつかの実施形態において、ＷＤは、直接的なヒューマンインタラクション無しで情報を送信し及び／又は受信するように構成されてもよい。例えば、ＷＤは、予め決定されるスケジュールで、内部の若しくは外部のイベントによりトリガされた場合に、又は、ネットワークからの要求に応じて、ネットワークへ情報を送信するように設計されてもよい。ＷＤの例は、限定ではないものの、スマートフォン、モバイルフォン、セルフォン、ＶｏＩＰ（Voice  over  IP）フォン、ワイヤレスローカルループフォン、デスクトップコンピュータ、パーソナルデジタルアシスタント（ＰＤＡ）、ワイヤレスカメラ、ゲームコンソール若しくはデバイス、音楽記憶デバイス、再生用電化製品、ウェアラブル端末デバイス、ワイヤレスエンドポイント、移動局、タブレット、ラップトップ、ラップトップ組込み機器（ＬＥＥ）、ラップトップ搭載型機器（ＬＭＥ）、スマートデバイス、ワイヤレス顧客構内機器（ＣＰＥ）、車両搭載型ワイヤレス端末デバイスなどを含む。ＷＤは、例えば、サイドリンク通信、車両対車両（Ｖ２Ｖ）、車両対インフラストラクチャ（Ｖ２Ｉ）又は車両対エブリシング（Ｖ２Ｅ）のために３ＧＰＰ規格を実行することにより、デバイスツーデバイス（Ｄ２Ｄ）通信をサポートしてもよく、このケースにおいてＤ２Ｄ通信デバイスとして言及されてもよい。また別の固有の例として、モノのインターネット（ＩｏＴ）のシナリオでは、ＷＤは、監視及び／若しくは測定を実行し、並びに他のＷＤ及び／若しくはネットワークノードへそうした監視及び／若しくは測定の結果を送信する、マシン又は他のデバイスを表してもよい。ＷＤは、このケースにおいて、マシンツーマシン（Ｍ２Ｍ）デバイスであってもよく、３ＧＰＰの文脈ではＭＴＣデバイスとして言及されてもよい。１つの具体的な例として、ＷＤは、３ＧＰＰ狭帯域ＩｏＴ（ＮＢ−ＩｏＴ）規格を実装するＵＥであってもよい。そうしたマシン又はデバイスの具体的な例は、センサ、パワーメータなどのメータデバイス、産業機械、家庭用若しくは個人用の電化製品（例えば、冷蔵庫、テレビなど）、又は、個人用のウェアラブル機器（例えば、時計、フィットネス追跡機など）である。他のシナリオにおいて、ＷＤは、その動作ステータス若しくはその動作に関連付けられる他の機能について監視し及び／若しくは報告することの可能な車両又は他の機器を表してもよい。上述したようなＷＤは、無線接続のエンドポイントを表してもよく、そのケースにおいて、当該デバイスはワイヤレス端末として言及されてもよい。さらに、上述したようなＷＤは、移動機（mobile）であってもよく、そのケースにおいて、移動デバイス又は移動端末として言及されてもよい。
【００５５】
図示したように、ＷＤ１１０は、アンテナ１１１、インタフェース１１４、処理回路１２０、デバイス読取可能な媒体１３０、ユーザインタフェース機器１３２、補助的機器１３４、電源１３６及び電力回路１３７を含む。ＷＤ１１０は、若干数を挙げるだけでも、例えばＧＳＭ、ＷＣＤＭＡ、ＬＴＥ、ＮＲ、ＷｉＦｉ、ＷｉＭＡＸ又はＢｌｕｅｔｏｏｔｈワイヤレス技術といった、ＷＤ１１０によりサポートされる様々なワイヤレス技術のための図示したコンポーネントの１つ以上の複数のセットを含んでもよい。それらワイヤレス技術は、ＷＤ１１０内の同一の若しくは異なるチップ又は他のコンポーネントとしてのチップのセットへ統合されてもよい。
【００５６】
アンテナ１１１は、ワイヤレス信号を送信し及び／又は受信するように構成される、１つ以上のアンテナ若しくはアンテナアレイを含んでもよく、インタフェース１１４へ接続される。ある代替的な実施形態において、アンテナ１１１は、ＷＤ１１０とは別個であってもよく、インタフェース又はポートを通じてＷＤ１１０へ接続可能であってもよい。アンテナ１１１、インタフェース１１４及び／又は処理回路１２０は、ＷＤにより実行されるものとしてここで説明される何らかの受信動作又は送信動作を実行するように構成され得る。どのような情報、データ及び／又は信号が、ネットワークノード及び／又は他のＷＤから受信されてもよい。いくつかの実施形態において、無線フロントエンド回路及び／又はアンテナ１１１は、インタフェースであるとみなされてもよい。
【００５７】
図示したように、インタフェース１１４は、無線フロントエンド回路１１２及びアンテナ１１１を含む。無線フロントエンド回路１１２は、１つ以上のフィルタ１１８及び増幅器１１６を含む。無線フロントエンド回路１１４は、アンテナ１１１及び処理回路１２０へ接続され、アンテナ１１１及び処理回路１２０の間で通信される信号を調整するように構成される。無線フロントエンド回路１１２は、アンテナ１１１へ連結されてもよく、又はアンテナ１１１の一部であってもよい。いくつかの実施形態において、ＷＤ１１０は、別個の無線フロントエンド回路１１２を含まなくてもよく、むしろ、処理回路１２０が、無線フロントエンド回路を含んでもよく、アンテナ１１１へ接続されてもよい。同様に、いくつかの実施形態において、ＲＦ送受信機回路１２２のいくつか又は全てがインタフェース１１４の一部であるとみなされてもよい。無線フロントエンド回路１１２は、無線接続を介して他のネットワークノード又はＷＤへ送出されるべきデジタルデータを受け付け得る。無線フロントエンド回路１１２は、そのデジタルデータを、フィルタ１１８及び／又は増幅器１１６の組み合わせを用いて、適切なチャネル及び帯域幅パラメータを有する無線信号へ変換し得る。そして、無線信号は、アンテナを介して送信され得る。
【００５８】
同様に、データが受信される場合、アンテナ１１１が無線信号を収集し、次いで無線信号は無線フロントエンド回路１１２によりデジタルデータへ変換され得る。デジタルデータは、処理回路１２０へ受け渡され得る。他の実施形態において、上記インタフェースは、異なるコンポーネント及び／又はコンポーネントの異なる組み合わせを含んでもよい。
【００５９】
処理回路１２０は、単独で若しくはデバイス読取可能な媒体１３０といった他のＷＤ１１０のコンポーネントと連携してＷＤ１１０の機能性を提供するように動作可能な、マイクロプロセッサ、コントローラ、マイクロコントローラ、中央処理ユニット、デジタル信号プロセッサ、特定用途向け集積回路、フィールドプログラマブルゲートアレイ又は他の適したコンピューティングデバイス、リソース若しくはハードウェア、ソフトウェア及び／若しくは符号化ロジックの組み合わせ、のうちの１つ以上の組み合わせを含んでよい。そうした機能性は、ここで議論される多様なワイヤレスの特徴又は恩恵のいずれかを提供することを含み得る。例えば、処理回路１２０は、デバイス読取可能な媒体１３０において又は処理回路１２０内のメモリにおいて記憶されている命令を実行して、ここで開示される機能性を提供し得る。
【００６０】
図示したように、処理回路１２０は、ＲＦ送受信機回路１２２、ベースバンド処理回路１２４及びアプリケーション処理回路１２６のうちの１つ以上を含む。他の実施形態において、上記処理回路は、異なるコンポーネント及び／又はコンポーネントの異なる組み合わせを含んでもよい。ある実施形態において、ＷＤ１１０の処理回路１２０は、ＳＯＣを含んでもよい。いくつかの実施形態において、ＲＦ送受信機回路１２２、ベースバンド処理回路１２４及びアプリケーション処理回路１２６は、別個のチップ又はチップのセット上にあってもよい。代替的な実施形態において、ベースバンド処理回路１２４及びアプリケーション処理回路１２６の一部又は全部は、１つのチップ又はチップのセットへ組み合わせられてもよく、ＲＦ送受信機回路１２２が別個のチップ又はチップのセット上にあってもよい。さらなる代替的な実施形態において、ＲＦ送受信機回路１２２及びベースバンド処理回路１２４の一部又は全てが同一のチップ若しくはチップのセット上にあってもよく、アプリケーション処理回路１２６が別個のチップ又はチップのセット上にあってもよい。また別の代替的な実施形態において、ＲＦ送受信機回路１２２、ベースバンド処理回路１２４及びアプリケーション処理回路１２６の一部又は全てが同一のチップ又はチップのセットにおいて組み合わせられてもよい。いくつかの実施形態において、ＲＦ送受信機回路１２２は、インタフェース１１４の一部であってもよい。ＲＦ送受信機回路１２２は、処理回路１２０向けにＲＦ信号を調整してもよい。
【００６１】
ある実施形態において、ＷＤにより実行されるものとしてここで説明した機能性のいくつか又は全ては、処理回路１２０がある実施形態ではコンピュータ読取可能な記憶媒体であり得るデバイス読取可能な媒体１３０に記憶される命令を実行することにより提供されてもよい。代替的な実施形態において、その機能性のいくつか又は全ては、別個の又は離散的なデバイス読取可能な記憶媒体に記憶される命令を実行することなく、ハードワイヤ方式などで処理回路１２０により提供されてもよい。それら具体的な実施形態のいずれにおいても、デバイス読取可能な記憶媒体に記憶される命令を実行するか否かに関わらず、説明される機能性を実行するように処理回路１２０を構成することができる。そうした機能性により提供される恩恵は、処理回路１２０だけ又はＷＤ１１０の他のコンポーネントに限定されることなく、全体としてＷＤ１１０により、並びに／又はエンドユーザ及びワイヤレスネットワーク全般により享受される。
【００６２】
処理回路１２０は、ＷＤにより実行されるものとしてここで説明される何らかの決定、計算又は類似の動作（例えば、ある取得動作）を実行するように構成され得る。処理回路１２０により実行されるようなこれら動作は、例えば、取得される情報を他の情報へ変換すること、取得される情報若しくは変換後の情報をＷＤ１１０において記憶されている情報と比較すること、及び／又は取得される情報若しくは変換後の情報に基づいて１つ以上の動作を実行すること、並びにその処理の結果として決定を下すことにより、処理回路１２０により取得される情報を処理することを含んでよい。。
【００６３】
デバイス読取可能な媒体１３０は、処理回路１２０により実行可能な、コンピュータプログラム、ソフトウェア、ロジック、ルール、コード、テーブルなどのうちの１つ以上を含むアプリケーション、及び／又は他の命令を記憶するように動作可能であり得る。デバイス読取可能な媒体１３０は、処理回路１２０により使用され得る情報、データ及び／若しくは命令を記憶する、コンピュータメモリ（例えば、ランダムアクセスメモリ（ＲＡＭ）若しくは読取専用メモリ（ＲＯＭ））、大規模記憶媒体（例えば、ハードディスク）、取外し可能な媒体（例えば、ＣＤ（Compact Disk）若しくはＤＶＤ（Digital Video Disk））、並びに／又は、他の任意の揮発性の若しくは不揮発性の非一時的なデバイス読取可能な及び／若しくはコンピュータ実行可能なメモリデバイスを含んでよい。いくつかの実施形態において、処理回路１２０及びデバイス読取可能な媒体１３０は、統合されるものとみなされてもよい。
【００６４】
ユーザインタフェース機器１３２は、人間のユーザがＷＤ１１０とインタラクションすることを可能にするコンポーネントを提供し得る。そうしたインタラクションは、視覚的、聴覚的、触覚的など、多くの形態をとり得る。ユーザインタフェース機器１３２は、ユーザへの出力を生成し、及びＷＤ１１０への入力をユーザが提供することを可能にするように動作可能であり得る。インタラクションのタイプは、ＷＤ１１０に取り付けられるユーザインタフェース機器１３２のタイプに依存して変化し得る。例えば、ＷＤ１１０がスマートフォンである場合、インタラクションはタッチ画面を介するものであってよく、ＷＤ１１０がスマートメータである場合、インタラクションは使用量（例えば、使用されたガロンの数値）を提供する画面を通じたもの、又は警報音（例えば、煙が検出された場合）を提供するスピーカであってもよい。ユーザインタフェース機器１３２は、入力インタフェース、デバイス及び回路、並びに出力インタフェース、デバイス及び回路を含んでもよい。ユーザインタフェース機器１３２は、ＷＤ１１０への情報の入力を可能にするように構成され、処理回路１２０へ接続されて処理回路１２０が入力情報を処理することを可能にする。ユーザインタフェース機器１３２は、例えば、マイクロフォン、近接若しくは他のセンサ、キー／ボタン、タッチディスプレイ、１つ以上のカメラ、ＵＳＢポート又は他の入力回路を含んでよい。ユーザインタフェース機器１３２は、ＷＤ１１０からの情報の出力を可能にするように、及び処理回路１２０がＷＤ１１０から情報を出力することを可能にするようにも構成される。ユーザインタフェース機器１３２は、例えば、スピーカ、ディスプレイ、振動回路、ＵＳＢポート、ヘッドフォンインタフェース、又は他の出力回路を含んでよい。ユーザインタフェース機器１３２の１つ以上の入出力インタフェース、デバイス及び回路を用いて、ＷＤ１１０は、エンドユーザ及び／又はワイヤレスネットワークと通信し、並びにそれらがここで説明される機能性から恩恵を受けることを可能にし得る。
【００６５】
補助的機器１３４は、ＷＤにより一般には行われないかもしれない、より固有の機能性を提供するように動作可能である。それは、多様な目的のための測定を行うための専用のセンサ、有線通信といった追加的なタイプの通信のためのインタフェースなどを含んでもよい。それらを含むこと及び補助的機器１３４のコンポーネントは、実施形態及び／又はシナリオに依存して変化してよい。
【００６６】
電源１３６は、いくつかの実施形態において、バッテリ又はバッテリパックの形式であってよい。外部の電源（例えば、電気コンセント）、太陽光発電デバイス又は電池といった他のタイプの電源もまた使用されてよい。ＷＤ１１０は、ここで説明され又は示される何らかの機能性を遂行するために電源１３６からの電力を必要とするＷＤ１１０の多様な部分へ電源１３６からの電力を伝達するための電力回路１３７をさらに含んでよい。電力回路１３７は、ある実施形態において、電力管理回路を含んでもよい。電力回路１３７は、追加的に又は代替的に、外部の電源から電力を受け付けるように動作可能であってもよく、その場合に、ＷＤ１１０は、電力ケーブルといった入力回路若しくはインタフェースを介して（電気コンセントといった）外部の電源へ接続可能であってもよい。電力回路１３７は、ある実施形態において、外部の電源から電源１３６へ電力を伝達するように動作可能であってもよい。これは、例えば、電源１３６の充電のためであり得る。電力回路１３７は、電力供給先であるＷＤ１１０のそれぞれのコンポーネントに電力を適したものとするために、電源１３６からの電力に対し何らかの整形、変換又は他の修正を行ってもよい。
【００６７】
図７は、ある実施形態に係る一例としてのユーザ機器（ＵＥ）を示している。ここで使用されるところでは、ユーザ機器あるいはＵＥは、関係するデバイスを所有し及び／又は操作する人間のユーザという意味でのユーザを必ずしも有していなくてもよい。その代わりに、ＵＥは、人間のユーザへの販売又は人間のユーザによる操作を意図されているが、少なくとも当初は特定の人間のユーザに関連付けられていないかもしれないデバイス（例えば、スマートスプリンクラーコントローラ）を表してもよい。代替的に、ＵＥは、エンドユーザへの販売又はエンドユーザによる操作を意図されず、ユーザの恩恵に関連付けられ又はユーザの恩恵のために運用され得るデバイス（例えば、スマートパワーメータ）を表してもよい。ＵＥ２２００は、ＮＢ−ＩｏＴ  ＵＥ、マシンタイプ通信（ＭＴＣ）ＵＥ及び／又は拡張ＭＴＣ（ｅＭＴＣ）ＵＥを含む、第３世代パートナーシッププロジェクト（３ＧＰＰ）により識別される任意のＵＥであってもよい。図７に示した通りのＵＥ２００は、第３世代パートナーシッププロジェクト（３ＧＰＰ）のＧＳＭ、ＵＭＴＳ、ＬＴＥ及び／又は５Ｇ規格といった、３ＧＰＰにより発布された１つ以上の通信規格に従った通信のために構成されるＷＤの１つの例である。前に言及したように、ＷＤ及びＵＥという用語は、互換可能に使用されてよい。したがって、図７ではＵＥであるものの、ここで議論されるコンポーネントはＷＤにも等しく適用可能であり、逆もまたしかりである。
【００６８】
図７において、ＵＥ２００は、入出力インタフェース２０５へ動作可能に連結される処理回路２０１、無線周波数（ＲＦ）インタフェース２０９、ネットワーク接続インタフェース２１１、ランダムアクセスメモリ（ＲＡＭ）２１７と読取専用メモリ（ＲＯＭ）２１９と記憶媒体２２１などを含むメモリ２１５、通信サブシステム２３１、電源２３３、及び／若しくは任意の他のコンポーネント、又はそれらの任意の組み合わせを含む。記憶媒体２２１は、オペレーティングシステム２２３、アプリケーションプログラム２２５及びデータ２２７を含む。他の実施形態において、記憶媒体２２１は、他の類似するタイプの情報を含んでもよい。あるＵＥは、図７に示したコンポーネントの全てを利用してもよく、又はそれらコンポーネントのサブセットのみを利用してもよい。コンポーネント間の統合のレベルは、あるＵＥと他のＵＥとで変化してよい。さらに、あるＵＥは、複数のプロセッサ、メモリ、送受信機、送信機、受信機などのように、コンポーネントの複数のインスタンスを含んでもよい。
【００６９】
図７において、処理回路２０１は、コンピュータ命令及びデータを処理するように構成され得る。処理回路２０１は、１つ以上の（例えば、離散ロジック、ＦＰＧＡ、ＡＳＩＣなどでの）ハードウェア実装されるステートマシンといった、メモリ内のマシン読取可能なコンピュータプログラムとして記憶されているマシン命令を実行するように動作可能な任意のシーケンシャルステートマシン、適切なファームウェアを伴うプログラマブルロジック、１つ以上のストアドプログラム、適切なソフトウェアを伴うマイクロプロセッサ若しくはデジタル信号プロセッサ（ＤＳＰ）といった汎用プロセッサ、又は上記の任意の組み合わせを実装するように構成され得る。例えば、処理回路２０１は、２つの中央演算装置（ＣＰＵ）を含んでもよい。データは、コンピュータによる使用に適した形式の情報であってよい。
【００７０】
図示した実施形態において、入出力インタフェース２０５は、入力デバイス、出力デバイス及び入出力デバイスに対する通信インタフェースを提供するように構成されてもよい。ＵＥ２００は、入出力インタフェース２０５を介して出力デバイスを使用するように構成されてもよい。出力デバイスは、入力デバイスと同じタイプのインタフェースポートを使用してもよい。例えば、ＵＥ２００への入力及びＵＥ２００からの出力を提供するためにＵＳＢポートが使用されてもよい。出力デバイスは、スピーカ、サウンドカード、ビデオカード、ディスプレイ、モニタ、プリンタ、アクチュエータ、エミッタ、スマートカード、他の出力デバイス、又はそれらの任意の組み合わせであってもよい。ＵＥ２００は、ユーザがＵＥ２００への情報を捕捉することを可能にするために入出力インタフェース２０５を介して入力デバイスを使用するように構成され得る。入力デバイスは、タッチ感応型の又はプレゼンス感応型のディスプレイ、カメラ（例えば、デジタルカメラ、デジタルビデオカメラ、ウェブカメラなど）、マイクロフォン、センサ、マウス、トラックボール、指向性パッド、トラックパッド、スクロールホイール、及びスマートカードなどを含んでもよい。プレゼンス感応型のディスプレイは、ユーザからの入力を感知するための容量型又は抵抗型のタッチセンサを含んでもよい。センサは、例えば、加速度計、ジャイロスコープ、傾斜センサ、力センサ、磁力計、光センサ、近接センサ、他の類似のセンサ、又はそれらの任意の組み合わせであってもよい。例えば、入力デバイスは、加速度計、磁力計、デジタルカメラ、マイクロフォン及び光センサであってもよい。
【００７１】
図７において、ＲＦインタフェース２０９は、送信機、受信機及びアンテナといったＲＦコンポーネントに対し通信インタフェースを提供するように構成され得る。ネットワーク接続インタフェース２１１は、ネットワーク２４３ａへの通信インタフェースを提供するように構成され得る。ネットワーク２４３ａは、ＬＡＮ（Local-Area Network）、ＷＡＮ（Wide-Area Network）、コンピュータネットワーク、ワイヤレスネットワーク、電気通信ネットワーク、他の類似のネットワーク、又はそれらの任意の組み合わせといった、有線及び／又は無線のネットワークを包含し得る。例えば、ネットワーク２４３ａは、Ｗｉ−Ｆｉネットワークを含んでもよい。ネットワーク接続インタフェース２１１は、イーサネット、ＴＣＰ／ＩＰ、ＳＯＮＥＴ若しくはＡＴＭなどといった１つ以上の通信プロトコルに従って通信ネットワーク上で１つ以上の他のデバイスと通信するために使用される受信機及び送信機インタフェースを含むように構成され得る。ネットワーク接続インタフェース２１１は、通信ネットワークリンク（例えば、光及び電気など）にとって適切な受信機及び送信機の機能性を実装し得る。送信機及び受信機の機能は、回路コンポーネント、ソフトウェア若しくはファームウェアを共有してもよく、又は代替的に別個に実装されてもよい。
【００７２】
ＲＡＭ２１７は、オペレーティングシステム、アプリケーションプログラム及びデバイスドライバといったソフトウェアプログラムの実行中のデータ又はコンピュータ命令の記憶及びキャッシュを提供するために、バス２０２を介して処理回路２０１へインタフェースするように構成され得る。ＲＯＭ２１９は、処理回路２０１へコンピュータ命令又はデータを提供するように構成され得る。例えば、ＲＯＭ２１９は、基本Ｉ／Ｏ（basic input and output）、起動、若しくはキーボードからのキーストロークの受付といった、不揮発性メモリ内に記憶される基本的なシステム機能の不変の低レベルシステムコード又はデータを記憶するように構成され得る。記憶媒体２２１は、ＲＡＭ、ＲＯＭ、ＰＲＯＭ（Programmable Read-Only Memory）、ＥＰＲＯＭ（Erasable Programmable Read-Only Memory）、ＥＥＰＲＯＭ（Erasable Programmable Read-Only Memory）、磁気ディスク、光ディスク、フロッピーディスク、ハードディスク、取り外し可能カートリッジ又はフラッシュドライブといったメモリを含むように構成され得る。１つの例において、記憶媒体２２１は、オペレーティングシステム２２３、ウェブブラウザアプリケーション、ウィジェット若しくはガジェットエンジン若しくは他のアプリケーションといったアプリケーションプログラム２２５、及びデータファイル２２７を含むように構成され得る。記憶媒体２２１は、ＵＥ２００による使用のために、広範な多様なオペレーティングシステム又は複数のオペレーティングシステムの組み合わせのうちの任意のものを記憶してよい。
【００７３】
記憶媒体２２１は、ＲＡＩＤ（Redundant Array of Independent Disks）といった複数の物理ドライブユニット、フロッピーディスクドライブ、フラッシュメモリ、ＵＳＢフラッシュドライブ、外部ハードディスクドライブ、サムドライブ、ペンドライブ、キードライブ、ＨＤ−ＤＶＤ（High-Density Digital Versatile Disc）、光ディスクドライブ、内部ハードディスクドライブ、Ｂｌｕ−Ｒａｙ光ディスクドライブ、ＨＤＤＳ（Holographic Digital Data Storage）光ディスクドライブ、外部ミニＤＩ ＭＭ（Dual In-Line Memory Module）、ＳＤＲＡＭ（Synchronous Dynamic Random Access Memory）、外部マイクロＤＩＭＭ ＳＤＲＡＭ、ＳＩＭ／ＲＵＩＭ（Subscriber Identity Module or Removable User Identity SIM）モジュールといったスマートカードメモリを含むように構成され得る。記憶媒体２２１は、ＵＥ２００が一時的な若しくは非一時的な記憶媒体に記憶されるコンピュータ実行可能な命令又はアプリケーションプログラムなどへアクセスしてデータをオフロード又はアップロードすることを可能にし得る。通信システムを利用するものなどといった製品の品目は、デバイス読取可能な媒体を含み得る記憶媒体２２１において有形的に具現化され得る。
【００７４】
図７において、処理回路２０１は、通信サブシステム２３１を用いてネットワーク２４３ｂと通信するように構成され得る。ネットワーク２４３ａ及びネットワーク２４３ｂは、１つ若しくは複数の、同一のネットワークであってもよく又は異なるネットワークであってもよい。通信サブシステム２３１は、ネットワーク２４３ｂと通信するために使用される１つ以上の送受信機を含むように構成され得る。例えば、通信サブシステム２３１は、ＩＥＥＥ８０２．２、ＣＤＭＡ、ＷＣＤＭＡ、ＧＳＭ、ＬＴＥ、ＵＴＲＡＮ若しくはＷｉＭａｘなどといった１つ以上の通信プロトコルに従って、他のＷＤ、ＵＥ又は無線アクセスネットワーク（ＲＡＮ）の基地局といったワイヤレス通信可能な他のデバイスの１つ以上の遠隔の送受信機と通信するために使用される１つ以上の送受信機を含むように構成され得る。各送受信機は、ＲＡＮリンクにとってそれぞれ適切な送信機又は受信機の機能性（例えば、周波数割り当てなど）を実装する送信機２３３及び／又は受信機２３５を含み得る。さらに、各送受信機の送信機２３３及び受信機２３５は、回路コンポーネント、ソフトウェア若しくはファームウェアを共有してもよく、又は代替的に別個に実装されてもよい。
【００７５】
図示した実施形態において、通信サブシステム２３１の通信機能は、データ通信、音声通信、マルチメディア通信、Ｂｌｕｅｔｏｏｔｈのような近距離通信、近接（near-field）通信、ロケーションの決定のためのＧＰＳ（Global Positioning System）の使用といったロケーションベースの通信、他の類似の通信機能、又はそれらの任意の組み合わせを含み得る。
【００７６】
例えば、通信サブシステム２３１は、セルラー通信、Ｗｉ−Ｆｉ通信、Ｂｌｕｅｔｏｏｔｈ通信及びＧＰＳ通信を含んでもよい。ネットワーク２４３ｂは、ＬＡＮ（Local-Area Network）、ＷＡＮ（Wide-Area Network）、コンピュータネットワーク、ワイヤレスネットワーク、電気通信ネットワーク、他の類似のネットワーク、又はそれらの任意の組み合わせといった、有線及び／又は無線のネットワークを包含し得る。例えば、ネットワーク２４３ｂは、セルラーネットワーク、Ｗｉ−Ｆｉネットワーク及び／又は近接ネットワークを含んでもよい。電源２１３は、交流電流（ＡＣ）又は直流電流（ＤＣ）での電力をＵＥ２００のコンポーネントへ提供するように構成され得る。
【００７７】
ここで説明される特徴、恩恵及び／又は機能は、ＵＥ２００のコンポーネントのうちの１つに実装されてもよく、又はＵＥ２００の複数のコンポーネントをまたいで分けられてもよい。さらに、ここで説明される特徴、恩恵及び／又は機能は、ハードウェア、ソフトウェア又はファームウェアの任意の組み合わせで実装されてよい。１つの例において、通信サブシステム２３１がここで説明されるコンポーネントのいずれかを含むように構成されてもよい。さらに、処理回路２０１は、バス２０２上でそうしたコンポーネントのうちの任意のものと通信するように構成されてもよい。他の例において、そうしたコンポーネントのうちの任意のものが、メモリ内に記憶されるプログラム命令であって、処理回路２０１による実行時にここで説明される対応する機能を行う当該プログラム命令により表されてもよい。他の例において、そうしたコンポーネントのうちの任意のものの機能性が、処理回路２０１と通信サブシステム２３１との間で分けられてもよい。他の例において、そうしたコンポーネントのうちの任意のものの計算上重くない機能がソフトウェア又はファームウェアで実装され、計算上重い機能がハードウェアで実装されてもよい。
【００７８】
図８は、いくつかの実施形態により実装される機能が仮想化され得る仮想化環境８００を示す概略ブロック図である。本文脈において、装置又はデバイスの仮想的なバージョンを生成する仮想化手段は、仮想化ハードウェアプラットフォーム、記憶デバイス及びネットワーキングリソースを含み得る。ここで使用されるところでは、仮想化は、ノード（例えば、仮想化基地局若しくは仮想化無線アクセスノード）、デバイス（例えば、ＵＥ、ワイヤレスデバイス、若しくは任意の他のタイプの通信デバイス）、又はそれらのコンポーネントへ適用されることができ、その機能性の少なくとも一部が（例えば、１つ以上のネットワーク内の１つ以上の物理的な処理ノード上で稼働する１つ以上のアプリケーション、コンポーネント、機能、仮想マシン又はコンテナを介して）１つ以上の仮想コンポーネントとして実装される実装法に関する。
【００７９】
いくつかの実施形態において、ここで説明される機能のいくつか又は全ては、ハードウェアノード８３０の１つ以上によりホスティングされる１つ以上の仮想環境８００内に実装される１つ以上の仮想マシンにより実行される仮想コンポーネントとして実装されてよい。さらに、仮想ノードが無線アクセスノードではなく又は無線接続性を要しない実施形態（例えば、コアネットワークノード）では、ネットワークノードが全体として仮想化されてもよい。
【００８０】
上記機能は、ここで開示される実施形態のいくつかの特徴、機能及び／又は恩恵のいくつかを実装するように動作可能な１つ以上のアプリケーション８２０（代替的に、ソフトウェアインスタンス、仮想アプライアンス、ネットワーク機能、仮想ノード、仮想ネットワーク機能などと呼ばれてもよい）により実装され得る。アプリケーション８２０は、処理回路８６０及びメモリ８９０を含むハードウェア８３０を提供する仮想化環境８００において実行される。メモリ８９０は、処理回路８６０により実行可能な命令８９５を含み、それによりアプリケーション８２０はここで開示される特徴、恩恵及び／又は機能のうちの１つ以上を提供するように動作可能である。
【００８１】
仮想化環境８００は、１つ以上のプロセッサのセットを含む汎用の若しくは特殊目的のネットワークハードウェアデバイス８３０又は処理回路８６０を含み、それらは、ＣＯＴＳ（Commercial Off-The-Shelf）プロセッサ、専用ＡＳＩＣ、又はデジタル若しくはアナログのハードウェアコンポーネント若しくは特殊目的のプロセッサを含む任意の他のタイプの処理回路であってよい。各ハードウェアデバイスは、命令８９５又は処理回路８６０により実行されるソフトウェアを一時的に記憶するための非永続的なメモリであり得るメモリ８９０−１を含んでよい。各ハードウェアデバイスは、物理的なネットワークインタフェース８８０を含む、ネットワークインタフェースカードとしても知られる１つ以上のネットワークインタフェースコントローラ（ＮＩＣ）８７０を含んでもよい。また、各ハードウェアデバイスは、処理回路８６０により実行可能なソフトウェア８９５及び／又は命令を記憶した非一時的で永続的なマシン読取可能な記憶媒体８９０−２を含んでもよい。ソフトウェア８９５は、１つ以上の仮想化レイヤ（ハイパーバイザともいう）８５０をインスタンス化するためのソフトウェア、仮想マシン８４０を実行するためのソフトウェア、並びに、ここで説明されるいくつかの実施形態に関連して説明される機能、特徴、及び／又は恩恵をなすことを可能にするソフトウェアを含む、いかなるタイプのソフトウェアを含んでもよい。
【００８２】
仮想マシン８４０は、仮想処理、仮想メモリ、仮想ネットワーキング又はインタフェース、及び仮想ストレージを含み、対応する仮想化レイヤ８５０又はハイパーバイザにより実行され得る。仮想アプライアンス８２０のインスタンスの様々な実施形態が、仮想マシン８４０のうちの１つ以上において実装されてよく、その実装は、様々な手法でなされてよい。
【００８３】
動作中に、処理回路８６０は、ソフトウェア８９５を実行して、仮想マシンモニタ（ＶＭＭ）として言及されることもあり得るハイパーバイザ又は仮想化レイヤ８５０をインスタンス化する。仮想化レイヤ８５０は、仮想マシン８４０にとってネットワーキングハードウェアのように見える仮想動作プラットフォームを呈示する。
【００８４】
図８に示したように、ハードウェア８３０は、一般的な又は固有のコンポーネントを伴うスタンドアローンのネットワークノードであってもよい。ハードウェア８３０は、アンテナ８２２５を含んでもよく、仮想化を介していくつかの機能を実装してもよい。代替的に、ハードウェア８３０は、多数のハードウェアノードが協働し及びＭＡＮＯ（Management and Orchestration）８１００を介して管理される（例えば、データセンタ又は顧客構内機器（ＣＰＥ）内のもののような）より大規模なハードウェアのクラスタの一部であってもよく、ＭＡＮＯ８１００はとりわけアプリケーション８２０のライフサイクル管理を監督する。
【００８５】
ハードウェアの仮想化を、いくつかの文脈において、ネットワーク機能仮想化（ＮＦＶ）という。ＮＦＶは、データセンタ及び顧客構内機器内に位置することのできる、業界標準の大容量のサーバハードウェア、物理スイッチ及び物理ストレージへと多くのネットワーク機器のタイプを集約するために使用され得る。
【００８６】
ＮＦＶの文脈では、仮想マシン８４０は、物理的であって仮想化されていないマシン上であたかも実行されているかのようにプログラムを稼働させる物理マシンのソフトウェア実装であってよい。仮想マシン８４０の各々、及び当該仮想マシンを実行するハードウェア８３０の部分は、当該仮想マシンに専用のハードウェアであれ、及び／又は当該仮想マシンにより他の仮想マシン８４０と共用されるハードウェアであれ、別個の仮想ネットワークエレメント（ＶＮＥ）を形成する。
【００８７】
やはりＮＦＶの文脈において、仮想ネットワーク機能（ＶＮＦ）は、ハードウェアネットワーキング基盤８３０の最上位で１つ以上の仮想マシン８４０において稼働する固有のネットワーク機能を扱うことに責任を有し、図８におけるアプリケーション８２０に対応する。
【００８８】
いくつかの実施形態において、１つ以上の送信機８２２０及び１つ以上の受信機８２１０を各々含む１つ以上の無線ユニット８２００は、１つ以上のアンテナ８２２５へ連結され得る。無線ユニット８２００は、１つ以上の適切なネットワークインタフェースを介してハードウェアノード８３０と直接的に通信してもよく、無線アクセスノード又は基地局のように仮想ノードに無線ケイパビリティを提供するために仮想コンポーネントとの組み合わせで使用されてもよい。
【００８９】
いくつかの実施形態において、制御システム８２３０の使用と共に何らかのシグナリングを作用させることができ、それは代替的にハードウェアノード８３０及び無線ユニット８２００の間の通信のために使用されてもよい。
【００９０】
図９は、ある実施形態に係る、ワイヤレスデバイスによる一例としての方法を示している。その方法は、ステップ４０２で開始し、上述した実施形態及び例のいずれかに従って、複数（例えば、４つ）のコンポーネントキャリアについてＨＡＲＱフィードバックを提供するために適した第１のサイズのＨＡＲＱコードブックを含む、ハイブリッド自動再送要求（ＨＡＲＱ）フィードバックを提供するための構成が取得される。上記方法は、ステップ４０４へ進み、ネットワークノードから、ある数（例えば、１つ）のコンポーネントキャリアについてのダウンリンクスケジューリングが受信される。ステップ４０６において、ワイヤレスデバイスは、スケジューリングされたコンポーネントキャリアの数がコンポーネントキャリアの閾値よりも少ない（例えば、１＜閾値＝２）と判定する。ステップ４０８において、ワイヤレスデバイスは、上述した実施形態及び例のいずれかに従って、第１のサイズよりも小さい第２のサイズのＨＡＲＱコードブックを決定する。上記方法は、ステップ４１０へ続き、ワイヤレスデバイスは、第２のサイズのＨＡＲＱコードブックを用いて、ネットワークノードへＨＡＲＱフィードバックを送信する。
【００９１】
図１０は、ある具体的な実施形態に係る、ネットワークノードによる一例としての方法を示している。その方法は、ステップ５０２で開始し、上述した実施形態及び例のいずれかに従って、複数のコンポーネントキャリアについてＨＡＲＱフィードバックを提供するために適した第１のサイズのＨＡＲＱコードブックを用いてハイブリッド自動再送要求（ＨＡＲＱ）フィードバックを提供するようにワイヤレスデバイスを構成する。上記方法は、ステップ５０４へ進み、ある数（例えば、１つ）のコンポーネントキャリアについてワイヤレスデバイスをスケジューリングする。ステップ５０６で、ネットワークノードは、スケジューリングしたコンポーネントキャリアの数がコンポーネントキャリアの閾値よりも少ない（例えば、１＜閾値＝２）と判定する。ステップ５０８で、ネットワークノードは、上述した実施形態及び例のいずれかに従って、第１のサイズよりも小さい第２のサイズのＨＡＲＱコードブックでＨＡＲＱフィードバックを受信する。
【００９２】
図１１は、ある実施形態に係る、ワイヤレスネットワーク（例えば、図４に示したワイヤレスネットワーク）内の一例としての仮想化装置を示している。当該装置は、ワイヤレスデバイス又はネットワークノード（例えば、図４に示したワイヤレスデバイス１１０又はネットワークノード１６０）において実装され得る。装置６００は、図９又は図１０を参照しながら説明した例示的な方法及び恐らくはここで開示した任意の他の処理又は方法を遂行するように動作可能である。また、理解されるべきこととして、図９又は図１０の方法は、装置６００により必ずしも単独で遂行されるわけではない。上記方法の少なくともいくつかの動作を、１つ以上の他のエンティティにより実行することができる。
【００９３】
仮想的な装置６００は、１つ以上のマイクロプロセッサ又はマイクロコントローラを含み得る処理回路、並びに、デジタル信号プロセッサ（ＤＳＰ）及び特殊目的デジタルロジックなどを含み得る他のデジタルハードウェアを含んでもよい。上記処理回路は、メモリ内に記憶されるプログラムコードを実行するように構成されてもよく、当該メモリは、読取専用メモリ（ＲＯＭ）、ランダムアクセスメモリ、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、複数の実施形態においてここで説明される技法の１つ以上を遂行するための命令を含む。いくつかの実施形態において、上記処理回路は、アップリンク構成ユニット６０２、ＨＡＲＱフィードバックユニット６０４、及び装置６００の任意の他の適したユニットに、本開示の１つ以上の実施形態に係る対応する機能を実行させるために使用され得る。
【００９４】
図１１に示したように、装置６００は、アップリンク構成ユニット６０２及びＨＡＲＱフィードバックユニット６０４を含む。ある実施形態において、アップリンク構成ユニット６０２及びＨＡＲＱフィードバックユニット６０４がワイヤレスデバイスに実装される場合などでは、アップリンク構成ユニット６０２は、ＨＡＲＱフィードバックを送信するために特定のＰＵＣＣＨリソース又はコードブックを使用せよというインジケーションを基地局から受信する、ように構成される。アップリンク構成ユニット６０２は、そのインジケーションの受信に応じて、ダウンリンクスケジューリングに基づいて、ＰＵＣＣＨリソース又はコードブックを変更する、ようにさらに構成される。ＨＡＲＱフィードバックユニット６０４は、もともとは当初のＰＵＣＣＨリソース又はコードブックで送信されようとしていたＨＡＲＱフィードバックを、新たなＰＵＣＣＨリソース又はコードブックで送信する、ように構成される。
【００９５】
ある実施形態において、アップリンク構成ユニット６０２及びＨＡＲＱフィードバックユニットが基地局に実装される場合などでは、アップリンク構成ユニット６０２は、ＨＡＲＱフィードバックを送信するためのＰＵＣＣＨリソース及び／又はコードブックをワイヤレスデバイスが変更すべきであると判定する、ように構成される。ＨＡＲＱフィードバックユニット６０４は、もともとは当初のＰＵＣＣＨリソース又はコードブックで送信されようとしていたＨＡＲＱフィードバックを、ダウンリンクスケジューリングに基づいて、新たなＰＵＣＣＨリソース又はコードブックで受信する、ように構成される。
【００９６】
ユニットとの用語は、電子機器、電気デバイス及び／又は電子デバイスの分野における旧来の意味を有してよく、例えば、ここで説明したもののような、それぞれのタスク、手続、計算、出力及び／若しくは表示機能などを遂行するための、電気回路及び／若しくは電子回路、デバイス、モジュール、プロセッサ、メモリ、ロジック固体素子及び／若しくは離散デバイス、コンピュータプログラム、又は、命令を含み得る。
【００９７】
図１２は、ある実施形態に係る、ワイヤレスデバイス１１０によりＨＡＲＱフィードバックを送信するための他の方法を示している。その方法は、ステップ７０２で開始し、ワイヤレスデバイス１１０は、ＨＡＲＱフィードバックを提供するための構成を取得する。
【００９８】
ステップ７０４で、ワイヤレスデバイス１１０は、少なくとも上記構成に基づいて、複数のコンポーネントキャリアについてＨＡＲＱフィードバックを提供するために適した第１のサイズのＨＡＲＱコードブックを決定する。
【００９９】
ステップ７０６で、ワイヤレスデバイス１１０は、ネットワークノード１６０から、ある数のコンポーネントキャリアについてのダウンリンクスケジューリングを受信する。
【０１００】
ステップ７０８で、ワイヤレスデバイス１１０は、スケジューリングされたコンポーネントキャリアの数がコンポーネントキャリアの閾値よりも少ないと判定する。
【０１０１】
ステップ７１０で、ワイヤレスデバイス１１０は、少なくとも上記構成に基づいて、第１のサイズよりも小さい第２のサイズのＨＡＲＱコードブックを決定する。具体的な実施形態において、例えば、第２のサイズのＨＡＲＱコードブックは、第１のサイズのＨＡＲＱコードブックよりも少ないビット群であり得る。
【０１０２】
具体的な実施形態において、第２のサイズのＨＡＲＱコードブックは少なくとも部分的にＭＩＭＯ構成に基づいて決定され得る。
【０１０３】
他の具体的な実施形態において、第２のサイズのＨＡＲＱコードブックを決定することは、複数のコードブックグループをまたいだバンドリングにより第２のサイズのＨＡＲＱフィードバックを生成すること、を含む。
【０１０４】
具体的な実施形態において、上記数のコンポーネントキャリアについてのダウンリンクスケジューリングは、上記数のコンポーネントキャリアの各々についてのダウンリンク割当てを含み、第２のサイズのＨＡＲＱコードブックのサイズは、コンポーネントキャリアの上記数に基づいて決定され得る。
【０１０５】
ステップ７１２において、ワイヤレスデバイス１１０は、第２のサイズのＨＡＲＱコードブックを用いて、ネットワークノードへＨＡＲＱフィードバックを送信する。
【０１０６】
多様な具体的な実施形態において、取得される上記構成は、第１のサイズのＰＵＣＣＨリソースをも含んでもよく、上記ＨＡＲＱフィードバックは、その第１のＰＵＣＣＨリソースの第１のサイズよりも小さい第２のサイズのＰＵＣＣＨリソースを用いてネットワークノード１６０へ送信されてもよい。一実施形態において、第２のサイズのＰＵＣＣＨリソースは、第１のサイズのＰＵＣＣＨリソースとは異なってもよい。他の実施形態において、第２のサイズのＰＵＣＣＨリソースは、第１のサイズのＰＵＣＣＨリソースと同一であってもよい。
【０１０７】
具体的な実施形態において、ステップ７０６で受信されるダウンリンクスケジューリングは、あるＰＵＣＣＨグループの範囲内の単一のコンポーネントキャリアについてのダウンリンク割当てであり、ステップ７１２で送信されるＨＡＲＱフィードバックは、そのダウンリンク割当てについての単一のＨＡＲＱレポートである。具体的な実施形態において、上記ダウンリンク割当ては、第２のサイズのＨＡＲＱフィードバックをネットワークノードへ送信するために使用すべきＰＵＣＣＨリソースを示してもよい。他の具体的な実施形態において、第２のサイズのＨＡＲＱコードブックは、上記ダウンリンク割当てにより示されるＰＵＣＣＨリソースとの関連付けに基づいて決定されてもよい。また別の具体的な実施形態において、上記単一のコンポーネントキャリアは、プライマリダウンリンクコンポーネントキャリアであってもよい。さらに別の具体的な実施形態において、上記単一のコンポーネントキャリアは、ＰＵＳＣＨを搬送するＰＵＣＣＨグループのアップリンクコンポーネントキャリアに関連付けられるダウンリンクコンポーネントキャリアであってもよい。
【０１０８】
具体的な実施形態において、上記方法は、ワイヤレスデバイス１１０が、アップリンク電力制御ルールに基づいて、第２のサイズのＨＡＲＱコードブックについての電力レベルを決定すること、をさらに含んでもよい。その電力レベルは、ＰＵＣＣＨの電力制御ループと、より大きいＨＡＲＱコードブックの第１のサイズ及びより小さいＨＡＲＱコードブックの第２のサイズのうちの少なくとも一方とに基づくものであってよい。その電力レベルは、第２のサイズのＨＡＲＱフィードバックをネットワークノード１６０へ送信するために使用されてもよい。
【０１０９】
図１３は、ある実施形態に係る、ワイヤレスネットワーク（例えば、図４に示したワイヤレスネットワーク）内の他の例としての仮想化装置８００を示している。装置８００は、ワイヤレスデバイス（例えば、図４に示したワイヤレスデバイス１１０）において実装され得る。装置８００は、図１２を参照しながら説明した例示的な方法及び恐らくはここで開示した任意の他の処理又は方法を遂行するように動作可能である。また、理解されるべきこととして、図１２の方法は、装置８００により必ずしも単独で遂行されるわけではない。上記方法の少なくともいくつかの動作を、１つ以上の他のエンティティにより実行することができる。
【０１１０】
仮想的な装置８００が、１つ以上のマイクロプロセッサ又はマイクロコントローラを含み得る処理回路、並びに、デジタル信号プロセッサ（ＤＳＰ）及び特殊目的デジタルロジックなどを含み得る他のデジタルハードウェアを含んでもよい。上記処理回路は、メモリ内に記憶されるプログラムコードを実行するように構成されてもよく、当該メモリは、読取専用メモリ（ＲＯＭ）、ランダムアクセスメモリ、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、複数の実施形態においてここで説明される技法の１つ以上を遂行するための命令を含む。いくつかの実施形態において、上記処理回路は、取得ユニット８１０、第１決定ユニット８２０、受信ユニット８３０、第２決定ユニット８４０、第３決定ユニット８５０、送信ユニット８６０、及び装置８００の任意の他の適したユニットに、本開示の１つ以上の実施形態に係る対応する機能を実行させるために使用され得る。
【０１１１】
図１３に示したように、装置８００は、取得ユニット８１０、第１決定ユニット８２０、受信ユニット８３０、第２決定ユニット８４０、第３決定ユニット８５０、及び送信ユニット８６０を含む。ある実施形態において、取得ユニット８１０は、ＨＡＲＱフィードバックを提供するための構成を取得する、ように構成される。第１決定ユニット８２０は、上記構成の取得に応じて、少なくとも上記構成に基づいて、複数のコンポーネントキャリアについてＨＡＲＱフィードバックを提供するために適した第１のサイズのＨＡＲＱコードブックを決定する、ように構成される。受信ユニット８３０は、ネットワークノード１６０から、ある数のコンポーネントキャリアについてのダウンリンクスケジューリングを受信する、ように構成される。第２決定ユニット８４０は、上記ダウンリンクスケジューリングの受信に応じて、スケジューリングされたコンポーネントキャリアの数がコンポーネントキャリアの閾値よりも少ないと判定する、ように構成され、第３決定ユニット８５０は、少なくとも上記構成に基づいて、第１のサイズよりも小さい第２のサイズのＨＡＲＱコードブックを決定する、ように構成される。そして、送信ユニット８６０は、第２のサイズのＨＡＲＱコードブックを用いて、ネットワークノードへＨＡＲＱフィードバックを送信する、ように構成される。
【０１１２】
ユニットとの用語は、電子機器、電気デバイス及び／又は電子デバイスの分野における旧来の意味を有してよく、例えば、ここで説明したもののような、それぞれのタスク、手続、計算、出力及び／若しくは表示機能などを遂行するための、電気回路及び／若しくは電子回路、デバイス、モジュール、プロセッサ、メモリ、ロジック固体素子及び／若しくは離散デバイス、コンピュータプログラム、又は、命令を含み得る。
【０１１３】
図１４は、ある実施形態に係る、ワイヤレスデバイス１１０からのＨＡＲＱフィードバックをスケジューリングするためのネットワークノード１６０による他の方法を示している。具体的な実施形態において、ネットワークノード１６０は、基地局を含んでもよい。
【０１１４】
その方法は、ステップ９０２で開始し、ネットワークノード１６０は、複数のコンポーネントキャリアについてＨＡＲＱフィードバックを提供するために適した第１のサイズのＨＡＲＱコードブックを用いてＨＡＲＱフィードバックを提供するようにワイヤレスデバイス１１０を構成する。
【０１１５】
ステップ９０４で、ネットワークノード１６０は、コンポーネントキャリアの閾値よりも少ない数のコンポーネントキャリアについてのダウンリンクスケジューリングを、ワイヤレスデバイス１１０へ送信する。具体的な実施形態において、上記ダウンリンク割当ては、第２のサイズのＨＡＲＱフィードバックをネットワークノードへ送信するためにワイヤレスデバイスにより使用すべきＰＵＣＣＨリソースを示す。
【０１１６】
ステップ９０６で、ネットワークノード１６０は、コンポーネントキャリアの数がコンポーネントキャリアの閾値よりも少ないことに応じて、第１のサイズよりも小さい第２のサイズのＨＡＲＱコードブックでＨＡＲＱフィードバックを受信する。具体的な実施形態において、第２のサイズのＨＡＲＱコードブックは、第１のサイズのＨＡＲＱコードブックよりも少ないビット群である。他の具体的な実施形態において、第２のサイズのＨＡＲＱコードブックは、少なくとも部分的にＭＩＭＯ構成に基づいて決定される。また別の具体的な実施形態において、第２のサイズのＨＡＲＱコードブックは、上記ダウンリンク割当てにより示されるＰＵＣＣＨリソースとの関連付けに基づいて決定されてもよい。さらに別の具体的な実施形態において、第２のサイズのＨＡＲＱフィードバックは、複数の符号ブロックグループをまたいでバンドリングされてもよい。
【０１１７】
具体的な実施形態において、上記方法は、ネットワークノード１６０がＨＡＲＱフィードバックを提供するために第１のサイズのＰＵＣＣＨリソースを使用するようにワイヤレスデバイス１１０を構成すること、をさらに含み、しかし、ＨＡＲＱフィードバックは、第１のサイズよりも小さい第２のサイズのＰＵＣＣＨリソースを用いて受信され得る。具体的な実施形態において、例えば、第２のサイズのＰＵＣＣＨリソースは、第１のサイズのＰＵＣＣＨリソースとは異なってもよい。他の具体的な実施形態において、第２のサイズのＰＵＣＣＨリソースは、第１のサイズのＰＵＣＣＨリソースと同一であってもよい。
【０１１８】
具体的な実施形態において、ステップ９０４で送信されるダウンリンクスケジューリングは、ワイヤレスデバイス１１０への単一のコンポーネントキャリアについてのダウンリンク割当てであってもよい。それに応じて、ワイヤレスデバイス１１０から受信されるＨＡＲＱフィードバックは、上記ダウンリンク割当てについての単一のＨＡＲＱレポートを含んでもよい。具体的な実施形態において、例えば、上記単一のコンポーネントキャリアは、プライマリダウンリンクコンポーネントキャリアであってもよい。他の具体的な実施形態において、上記単一のコンポーネントキャリアは、ＰＵＳＣＨを搬送するＰＵＣＣＨグループのアップリンクコンポーネントキャリアに関連付けられるダウンリンクコンポーネントキャリアであってもよい。
【０１１９】
具体的な実施形態において、第２のサイズのＨＡＲＱコードブックの電力レベルは、ＰＵＣＣＨの電力制御ループと、第１のサイズのＨＡＲＱコードブックのサイズ及び第２のサイズのＨＡＲＱコードブックのサイズのうちの少なくとも一方と、に基づくものであってよい。
【０１２０】
具体的な実施形態において、上記数のコンポーネントキャリアについてのダウンリンクスケジューリングは、上記数のコンポーネントキャリアの各々についてのダウンリンク割当てであってもよく、第２のサイズのＨＡＲＱコードブックのサイズは、コンポーネントキャリアの上記数に基づいて決定されてもよい。
【０１２１】
図１５は、ある実施形態に係る、ワイヤレスネットワーク（例えば、図４に示したワイヤレスネットワーク）内の他の例としての仮想化装置１０００を示している。装置１０００は、ネットワークノード（例えば、図４に示したネットワークノード１６０）において実装され得る。具体的な実施形態において、当該仮想化装置は、基地局において実装され得る。装置１０００は、図１４を参照しながら説明した例示的な方法及び恐らくはここで開示した任意の他の処理又は方法を遂行するように動作可能である。また、理解されるべきこととして、図１４の方法は、装置１０００により必ずしも単独で遂行されるわけではない。上記方法の少なくともいくつかの動作を、１つ以上の他のエンティティにより実行することができる。
【０１２２】
仮想的な装置１０００は、１つ以上のマイクロプロセッサ又はマイクロコントローラを含み得る処理回路、並びに、デジタル信号プロセッサ（ＤＳＰ）及び特殊目的デジタルロジックなどを含み得る他のデジタルハードウェアを含んでもよい。上記処理回路は、メモリ内に記憶されるプログラムコードを実行するように構成されてもよく、当該メモリは、読取専用メモリ（ＲＯＭ）、ランダムアクセスメモリ、キャッシュメモリ、フラッシュメモリデバイス、光学記憶デバイスなどといった、１つ又は複数のタイプのメモリを含み得る。メモリ内に記憶されるプログラムコードは、１つ以上の電気通信及び／又はデータ通信プロトコルを実行するためのプログラム命令、並びに、複数の実施形態においてここで説明される技法の１つ以上を遂行するための命令を含む。いくつかの実施形態において、上記処理回路は、構成ユニット１０１０、送信ユニット１０２０、受信ユニット１０３０、及び装置１０００の任意の他の適したユニットに、本開示の１つ以上の実施形態に係る対応する機能を実行させるために使用され得る。
【０１２３】
図１５に示したように、装置１０００は、構成ユニット１０１０、送信ユニット１０２０、及び受信ユニット１０３０を含む。ある実施形態において、構成ユニット１０１０は、複数のコンポーネントキャリアについてＨＡＲＱフィードバックを提供するために適した第１のサイズのＨＡＲＱコードブックを用いてＨＡＲＱフィードバックを提供するようにワイヤレスデバイス１１０を構成する、ように構成される。送信ユニット１０２０は、コンポーネントキャリアの閾値よりも少ない数のコンポーネントキャリアについてのダウンリンクスケジューリングを、ワイヤレスデバイス１１０へ送信する、ように構成される。受信ユニット１０３０は、コンポーネントキャリアの数がコンポーネントキャリアの閾値よりも少ないことに応じて、第１のサイズよりも小さい第２のサイズのＨＡＲＱコードブックでＨＡＲＱフィードバックを受信する、ように構成される。
【０１２４】
ユニットとの用語は、電子機器、電気デバイス及び／又は電子デバイスの分野における旧来の意味を有してよく、例えば、ここで説明したもののような、それぞれのタスク、手続、計算、出力及び／若しくは表示機能などを遂行するための、電気回路及び／若しくは電子回路、デバイス、モジュール、プロセッサ、メモリ、ロジック固体素子及び／若しくは離散デバイス、コンピュータプログラム、又は、命令を含み得る。
【０１２５】
＜実施形態＞
グループＡの実施形態
［１］
ＨＡＲＱフィードバックを基地局へ送信するための、ワイヤレスデバイスにより行われる方法であって、
複数のコンポーネントキャリアについてＨＡＲＱフィードバックを提供するために適した第１のサイズのＨＡＲＱコードブックを含む、ハイブリッド自動再送要求（ＨＡＲＱ）フィードバックを提供するための構成を取得することと、
ネットワークノードから、ある数のコンポーネントキャリアについてのダウンリンクスケジューリングを受信することと、
スケジューリングされたコンポーネントキャリアの前記数がコンポーネントキャリアの閾値よりも少ないと判定することと、
前記第１のサイズよりも小さい第２のサイズのＨＡＲＱコードブックを決定することと、
前記第２のサイズの前記ＨＡＲＱコードブックを用いて、前記ネットワークノードへＨＡＲＱフィードバックを送信することと、
を含む方法。
【０１２６】
［２］
前述した実施形態の方法であって、
取得される前記構成は、第１のサイズの物理アップリンク制御チャネル（ＰＵＣＣＨ）リソースをさらに含み、
ＨＡＲＱフィードバックを送信することは、前記第１のサイズよりも小さい第２のサイズのＰＵＣＣＨリソースを用いてＨＡＲＱフィードバックを送信すること、
を含む、方法。
【０１２７】
グループＢの実施形態
［３］
ワイヤレスデバイスからのＨＡＲＱフィードバックをスケジューリングするための、基地局により行われる方法であって、
複数のコンポーネントキャリアについてＨＡＲＱフィードバックを提供するために適した第１のサイズのＨＡＲＱコードブックを用いてハイブリッド自動再送要求（ＨＡＲＱ）フィードバックを提供するように前記ワイヤレスデバイスを構成することと、
ある数のコンポーネントキャリアについて前記ワイヤレスデバイスをスケジューリングすることと、
スケジューリングされたコンポーネントキャリアの前記数がコンポーネントキャリアの閾値よりも少ないと判定することと、
前記第１のサイズよりも小さい第２のサイズのＨＡＲＱコードブックでＨＡＲＱフィードバックを受信することと、
を含む方法。
【０１２８】
［４］
前述した実施形態の方法であって、ＨＡＲＱフィードバックを提供するための第１のサイズの物理アップリンク制御チャネル（ＰＵＣＣＨ）リソースを使用するように前記ワイヤレスデバイスを構成すること、をさらに含み、前記ＨＡＲＱフィードバックを受信することは、前記第１のサイズよりも小さい第２のサイズのＰＵＣＣＨリソースを用いてＨＡＲＱフィードバックを受信すること、を含む、方法。
【０１２９】
グループＣの実施形態
［５］
ＨＡＲＱフィードバックを基地局へ送信するための、ワイヤレスデバイスであって、
グループＡの実施形態のいずれかのステップ群のいずれかを実行するように構成される処理回路と、
前記ワイヤレスデバイスへ電力を供給するように構成される電力供給回路と、
を備えるワイヤレスデバイス。
【０１３０】
［６］
ワイヤレスデバイスからのＨＡＲＱフィードバックをスケジューリングするための基地局であって、
グループＢの実施形態のいずれかのステップ群のいずれかを実行するように構成される処理回路と、
前記ワイヤレスデバイスへ電力を供給するように構成される電力供給回路と、
を備える基地局。
【０１３１】
［７］
ＨＡＲＱフィードバックを基地局へ送信するための、ユーザ機器（ＵＥ）であって、
ワイヤレス信号を送信し及び受信するように構成されるアンテナと、
前記アンテナ及び処理回路へ接続され、前記アンテナ及び前記処理回路の間でやり取りされる信号を調整するように構成される無線フロントエンド回路と、
グループＡの実施形態のいずれかのステップ群のいずれかを実行するように構成される前記処理回路と、
前記処理回路へ接続され、前記ＵＥへの情報の入力が前記処理回路により処理されることを可能にするように構成される入力インタフェースと、
前記処理回路へ接続され、前記処理回路により処理された情報を前記ＵＥから出力するように構成される出力インタフェースと、
前記処理回路へ接続され、前記ＵＥへ電力を供給するように構成されるバッテリと、
を備えるＵＥ。
【０１３２】
概して、ここで使用される全ての用語は、異なる意味が明確に与えられていない限り、及び／又は使用されている文脈から異なる意味が示唆されていない限り、関係する技術分野におけるそれらの通常の意味に従って解釈されるべきである。あるエレメント、装置、コンポーネント、手段、ステップなどへの全ての言及は、別段の明示的な記述の無い限り、それらエレメント、装置、コンポーネント、手段、ステップなどの少なくとも１つのインスタンスへの言及としてオープンに解釈されるべきである。あるステップが他のステップに後続し若しくは先行するものとして明示的に説明されておらず、及び／又は、あるステップが他のステップに後続し若しくは先行しなければならないことが暗黙の了解でない限り、ここで開示されるいかなる方法のステップも、開示された厳密な順序で実行されなくてよい。ここで開示される任意の実施形態の任意の特徴が、適切であるならば、他の任意の実施形態へ適用されてよい。同様に、任意の実施形態の任意の利点が、他のどの実施形態にも当てはまり得るものであり、逆もまたしかりである。包含される実施形態の他の目的、特徴及び利点が以下の説明から明らかとなるであろう。
【０１３３】
略語：
以下の略語のうちの少なくともいくつかが本開示において使用されているかもしれない。略語の間で不整合がある場合には、上でそれがどのように使用されているかが優先されるべきである。以下で複数回挙示されている場合、最初に挙示されたものが後から挙示されたどれよりも優先されるべきである。
１ｘＲＴＴ          ＣＤＭＡ２０００  １ｘ無線送信技術
３ＧＰＰ            第三世代パートナーシッププロジェクト
５Ｇ                第五世代
ＡＢＳ              オールモーストブランクサブフレーム
ＡＣＫ              確認応答
ＡＣＫ／ＮＡＣＫ    確認応答／否定確認応答
ＡＲＱ              自動再送要求
ＡＷＧＮ            加法性白色ガウス雑音
ＢＣＣＨ            ブロードキャスト制御チャネル
ＢＣＨ              ブロードキャストチャネル
ＣＡ                キャリアアグリゲーション
ＣＢＧ              符号ブロックグループ
ＣＣ                キャリアコンポーネント
ＣＣＣＨ  ＳＤＵ    共通制御チャネルＳＤＵ
ＣＤＭＡ            符号分割多重アクセス
ＣＧＩ              セルグローバル識別子
ＣＩＲ              チャネルインパルス応答
ＣＰ                サイクリックプレフィクス
ＣＰＩＣＨ          共通パイロットチャネル
ＣＰＩＣＨ  Ｅｃ／Ｎｏ  チップ別受信エネルギーを帯域内の電力密度で除算した商
ＣＱＩ              チャネル品質情報
Ｃ−ＲＮＴＩ        セルＲＮＴＩ
ＣＳＩ              チャネル状態情報
ＤＡＩ              ダウンリンク割当てインジケータ
ＤＣＩ              ダウンリンク制御情報
ＤＣＣＨ            専用制御チャネル
ＤＦＴ              離散フーリエ変換
ＤＬ                ダウンリンク
ＤＭ                復調
ＤＭＲＳ            復調リファレンス信号
ＤＲＸ              不連続受信
ＤＴＸ              不連続送信
ＤＴＣＨ            専用トラフィックチャネル
ＤＵＴ              テスト下デバイス
Ｅ−ＣＩＤ          拡張セルＩＤ（測位方法）
Ｅ−ＳＭＬＣ        進化型サービングモバイルロケーションセンタ
ＥＣＧＩ            進化型ＣＧＩ
ｅＮＢ              Ｅ−ＵＴＲＮノードＢ
ｅＰＤＣＣＨ        拡張物理ダウンリンク制御チャネル
Ｅ−ＳＭＬＣ        進化型サービングモバイルロケーションセンタ
Ｅ−ＵＴＲＡ        進化型ＵＴＲＡ
Ｅ−ＵＴＲＡＮ      進化型ＵＴＲＡＮ
ＦＤＤ              周波数分割複信
ＦＦＳ              将来の研究対象
ＧＥＲＡＮ          ＧＳＭ  ＥＤＧＥ無線アクセスネットワーク
ｇＮＢ              ＮＲにおける基地局
ＧＮＳＳ            全地球航法衛星システム
ＧＳＭ              グローバルシステムフォーモバイルコミュニケーション
ＨＡＲＱ            ハイブリッド自動再送要求
ＨＯ                ハンドオーバ
ＨＳＰＡ            高速パケットアクセス
ＨＲＰＤ            高速パケットデータ
ＬＯＳ              見通し線
ＬＰＰ              ＬＴＥ測位プロトコル
ＬＴＥ              ロングタームエボリューション
ＭＡＣ              メディアアクセス制御
ＭＢＭＳ            マルチメディアブロードキャストマルチキャストサービス
ＭＢＳＦＮ          マルチメディアブロードキャストマルチキャストサービス単一周波数ネットワーク
ＡＢＳ              オールモーストブランクサブフレーム
ＭＤＴ              ドライブテスト最小化
ＭＩＢ              マスタ情報ブロック
ＭＭＥ              モビリティ管理エンティティ
ＭＳＣ              モバイルスイッチングセンタ
ＮＡＣＫ            否定確認応答
ＮＰＤＣＣＨ        狭帯域物理ダウンリンク制御チャネル
ＮＲ                新無線
ＯＣＮＧ            ＯＦＤＭＡチャネル雑音生成器
ＯＦＤＭ            直交周波数分割多重
ＯＦＤＭＡ          直交周波数分割多元接続
ＯＳＳ              オペレーションサポートシステム
ＯＴＤＯＡ          観測到来時間差
Ｏ＆Ｍ              オペレーション及びメンテナンス
ＰＡＰＲ            ピーク対平均電力比
ＰＢＣＨ            物理ブロードキャストチャネル
Ｐ−ＣＣＰＣＨ      プライマリ共通制御物理チャネル
ＰＣｅｌｌ          プライマリセル
ＰＣＦＩＣＨ        物理制御フォーマットインジケータチャネル
ＰＤＣＣＨ          物理ダウンリンク制御チャネル
ＰＤＰ              プロファイル遅延プロファイル
ＰＤＳＣＨ          物理ダウンリンク共有チャネル
ＰＧＷ              パケットゲートウェイ
ＰＨＩＣＨ          物理ハイブリッドＡＲＱインジケータチャネル
ＰＬＭＮ            公衆地上移動体ネットワーク
ＰＭＩ              プリコーダ行列インジケータ
ＰＲ                ＰＵＣＣＨリソース
ＰＲＡＣＨ          物理ランダムアクセスチャネル
ＰＲＢ              物理リソースブロック
ＰＲＳ              測位リファレンス信号
ＰＳＳ              プライマリ同期信号
ＰＵＣＣＨ          物理アップリンク制御チャネル
ＰＵＳＣＨ          物理アップリンク共有チャネル
ＲＡＣＨ            ランダムアクセスチャネル
ＱＡＭ              直交振幅変調
ＲＡＮ              無線アクセスネットワーク
ＲＡＴ              無線アクセス技術
ＲＬＭ              無線リンク管理
ＲＮＣ              無線ネットワークコントローラ
ＲＮＴＩ            無線ネットワーク一時識別子
ＲＲＣ              無線リソース制御
ＲＲＭ              無線リソース管理
ＲＳ                リファレンス信号
ＲＳＣＰ            受信信号符号電力
ＲＳＲＰ            リファレンスシンボル受信電力又はリファレンス信号受信電力
ＲＳＲＱ            リファレンス信号受信品質又はリファレンスシンボル受信品質
ＲＳＳＩ            受信信号強度インジケータ
ＲＳＴＤ            リファレンス信号時間差
ＳＣＨ              同期チャネル
ＳＣｅｌｌ          セカンダリセル
ＳＤＵ              サービスデータユニット
ＳＦＮ              システムフレーム番号
ＳＧＷ              サービングゲートウェイ
ＳＩ                システム情報
ＳＩＢ              システム情報ブロック
ＳＮＲ              信号対雑音比
ＳＯＮ              自己最適化ネットワーク
ＳＲ                スケジューリング要求
ＳＳ                同期信号
ＳＳＳ              セカンダリ同期信号
ＴＤＤ              時分割複信
ＴＤＭ              時分割多重化
ＴＤＯＡ            到来時間差
ＴＯＡ              到来時間
ＴＳＳ              第三紀同期信号
ＴＴＩ              送信時間インターバル
ＵＣＩ              アップリンク制御情報
ＵＥ                ユーザ機器
ＵＬ                アップリンク
ＵＭＴＳ            ユニバーサルモバイルテレコミュニケーションシステム
ＵＳＩＭ            ユニバーサル加入者アイデンティティモジュール
ＵＴＤＯＡ          アップリンク到来時間差
ＵＴＲＡ            ユニバーサル地上無線アクセス
ＵＴＲＡＮ          ユニバーサル地上無線アクセスネットワーク
ＷＣＤＭＡ          ワイドＣＤＭＡ
ＷＬＡＮ            ワイヤレスローカルエリアネットワーク
【図１】
2020537377.tif 000003
【図２】
2020537377.tif 000004
【図３】
2020537377.tif 000005
【図４】
2020537377.tif 000006
【図５】
2020537377.tif 000007
【図６】
2020537377.tif 000008
【図７】
2020537377.tif 000009
【図８】
2020537377.tif 000010
【図９】
2020537377.tif 000011
【図１０】
2020537377.tif 000012
【図１１】
2020537377.tif 000013
【図１２】
2020537377.tif 000014
【図１３】
2020537377.tif 000015
【図１４】
2020537377.tif 000016
【図１５】
2020537377.tif 000017
【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ハイブリッド自動再送要求（ＨＡＲＱ）フィードバックを基地局へ送信するための、ワイヤレスデバイスにより行われる方法であって、
ＨＡＲＱフィードバックを提供するための構成を取得することと、
少なくとも前記構成に基づいて、複数のコンポーネントキャリアについてＨＡＲＱフィードバックを提供するために適した第１のサイズのＨＡＲＱコードブックを決定することと、
ネットワークノードから、ある数のコンポーネントキャリアについてのダウンリンクスケジューリングを受信することと、
スケジューリングされたコンポーネントキャリアの前記数がコンポーネントキャリアの閾値よりも少ないと判定することと、
少なくとも前記構成に基づいて、前記第１のサイズよりも小さい第２のサイズのＨＡＲＱコードブックを決定することと、
前記第２のサイズの前記ＨＡＲＱコードブックを用いて、前記ネットワークノードへＨＡＲＱフィードバックを送信することと、を含む方法。
【請求項２】
請求項１の方法であって、
取得される前記構成は、前記第１のサイズの物理アップリンク制御チャネル（ＰＵＣＣＨ）リソースをさらに含み、
ＨＡＲＱフィードバックを送信することは、前記第１のサイズよりも小さい第２のサイズのＰＵＣＣＨリソースを用いてＨＡＲＱフィードバックを送信すること、を含む、方法。
【請求項３】
請求項１又は２の方法であって、
前記数のコンポーネントキャリアについての前記ダウンリンクスケジューリングは、ＰＵＣＣＨグループ内の単一のコンポーネントキャリアについてのダウンリンク割当てを含み、
前記ＨＡＲＱフィードバックは、前記ダウンリンク割当てについての単一のＨＡＲＱレポートを含む、方法。
【請求項４】
請求項３の方法であって、前記ダウンリンク割当ては、前記第２のサイズの前記ＨＡＲＱフィードバックを前記ネットワークノードへ送信するために使用すべきＰＵＣＣＨリソースを示す、方法。
【請求項５】
請求項１〜４のいずれか１項の方法であって、前記第２のサイズの前記ＨＡＲＱコードブックは、前記第１のサイズの前記ＨＡＲＱコードブックよりも少ないビット群である、方法。
【請求項６】
請求項１〜５のいずれか１項の方法であって、前記第２のサイズの前記ＨＡＲＱコードブックを決定することは、複数のコードブックグループをまたいだバンドリングにより前記第２のサイズの前記ＨＡＲＱフィードバックを生成すること、を含む、方法。
【請求項７】
請求項１〜６のいずれか１項の方法であって、
前記数のコンポーネントキャリアについての前記ダウンリンクスケジューリングは、前記数のコンポーネントキャリアの各々についてのダウンリンク割当てを含み、
前記第２のサイズは、コンポーネントキャリアの前記数に基づいて決定される、方法。
【請求項８】
ハイブリッド自動再送要求（ＨＡＲＱ）フィードバックを基地局へ送信するための、ワイヤレスデバイスであって、
処理回路を備え、前記処理回路は、
ＨＡＲＱフィードバックを提供するための構成を取得し、
少なくとも前記構成に基づいて、複数のコンポーネントキャリアについてＨＡＲＱフィードバックを提供するために適した第１のサイズのＨＡＲＱコードブックを決定し、
ネットワークノードから、ある数のコンポーネントキャリアについてのダウンリンクスケジューリングを受信し、
スケジューリングされたコンポーネントキャリアの前記数がコンポーネントキャリアの閾値よりも少ないと判定し、
少なくとも前記構成に基づいて、前記第１のサイズよりも小さい第２のサイズのＨＡＲＱコードブックを決定し、
前記第２のサイズの前記ＨＡＲＱコードブックを用いて、前記ネットワークノードへＨＡＲＱフィードバックを送信する、ように構成される、ワイヤレスデバイス。
【請求項９】
請求項８のワイヤレスデバイスであって、
取得される前記構成は、前記第１のサイズの物理アップリンク制御チャネル（ＰＵＣＣＨ）リソースをさらに含み、
ＨＡＲＱフィードバックを送信することは、前記第１のサイズよりも小さい第２のサイズのＰＵＣＣＨリソースを用いてＨＡＲＱフィードバックを送信すること、を含む、ワイヤレスデバイス。
【請求項１０】
請求項８又は９のワイヤレスデバイスであって、前記第２のサイズの前記ＨＡＲＱコードブックを決定することは、複数のコードブックグループをまたいだバンドリングにより前記第２のサイズの前記ＨＡＲＱフィードバックを生成すること、を含む、ワイヤレスデバイス。
【請求項１１】
請求項８〜１０のいずれか１項のワイヤレスデバイスであって、前記処理回路は、
アップリンク電力制御ルールに基づいて、前記第２のサイズの前記ＨＡＲＱコードブックについての電力レベルを決定する、ように構成され、前記電力レベルは、ＰＵＣＣＨの電力制御ループと、
前記第１のサイズの前記ＨＡＲＱコードブックのサイズ、及び
前記第２のサイズの前記ＨＡＲＱコードブックのサイズ、のうちの少なくとも一方とに基づくものであり、
前記電力レベルは、前記第２のサイズの前記ＨＡＲＱフィードバックを前記ネットワークノードへ送信するために使用される、ワイヤレスデバイス。
【請求項１２】
ワイヤレスデバイスからのハイブリッド自動再送要求（ＨＡＲＱ）フィードバックをスケジューリングするための、基地局により行われる方法であって、
複数のコンポーネントキャリアについてＨＡＲＱフィードバックを提供するために適した第１のサイズのＨＡＲＱコードブックを用いてＨＡＲＱフィードバックを提供するように前記ワイヤレスデバイスを構成することと、
コンポーネントキャリアの閾値よりも少ない数のコンポーネントキャリアについてのダウンリンクスケジューリングを、前記ワイヤレスデバイスへ送信することと、
コンポーネントキャリアの前記数がコンポーネントキャリアの前記閾値よりも少ないことに応じて、前記第１のサイズよりも小さい第２のサイズのＨＡＲＱコードブックでＨＡＲＱフィードバックを受信することと、を含む方法。
【請求項１３】
請求項１２の方法であって、ＨＡＲＱフィードバックを提供するための前記第１のサイズの物理アップリンク制御チャネル（ＰＵＣＣＨ）リソースを使用するように前記ワイヤレスデバイスを構成すること、をさらに含み、前記ＨＡＲＱフィードバックを受信することは、前記第１のサイズよりも小さい第２のサイズのＰＵＣＣＨリソースを用いてＨＡＲＱフィードバックを受信すること、を含む、方法。
【請求項１４】
請求項１２又は１３の方法であって、
前記ダウンリンクスケジューリングは、単一のコンポーネントキャリアについての前記ワイヤレスデバイスへのダウンリンク割当てを含み、
前記ワイヤレスデバイスから受信される前記ＨＡＲＱフィードバックは、前記ダウンリンク割当てについての単一のＨＡＲＱレポートを含む、方法。
【請求項１５】
請求項１４の方法であって、前記単一のコンポーネントキャリアは、プライマリダウンリンクコンポーネントキャリアを含む、方法。
【請求項１６】
請求項１４又は１５の方法であって、前記単一のコンポーネントキャリアは、ＰＵＳＣＨを搬送するＰＵＣＣＨグループのアップリンクコンポーネントキャリアに関連付けられるダウンリンクコンポーネントキャリアを含む、方法。
【請求項１７】
請求項１２〜１６のいずれか１項の方法であって、前記第２のサイズの前記ＨＡＲＱコードブックは、前記第１のサイズの前記ＨＡＲＱコードブックよりも少ないビット群である、方法。
【請求項１８】
請求項１２〜１７のいずれか１項の方法であって、前記第２のサイズの前記ＨＡＲＱフィードバックは、複数の符号ブロックグループをまたいでバンドリングされる、方法。
【請求項１９】
ワイヤレスデバイスからのハイブリッド自動再送要求（ＨＡＲＱ）フィードバックをスケジューリングするための基地局であって、
処理回路を備え、前記処理回路は、
複数のコンポーネントキャリアについてＨＡＲＱフィードバックを提供するために適した第１のサイズのＨＡＲＱコードブックを用いてＨＡＲＱフィードバックを提供するように前記ワイヤレスデバイスを構成し、
コンポーネントキャリアの閾値よりも少ない数のコンポーネントキャリアについてのダウンリンクスケジューリングを、前記ワイヤレスデバイスへ送信し、
コンポーネントキャリアの前記数がコンポーネントキャリアの前記閾値よりも少ないことに応じて、前記第１のサイズよりも小さい第２のサイズのＨＡＲＱコードブックでＨＡＲＱフィードバックを受信する、ように構成される、基地局。
【請求項２０】
請求項１９の基地局であって、前記処理回路は、ＨＡＲＱフィードバックを提供するための前記第１のサイズの物理アップリンク制御チャネル（ＰＵＣＣＨ）リソースを使用するように前記ワイヤレスデバイスを構成する、ように構成され、前記ＨＡＲＱフィードバックを受信することは、前記第１のサイズよりも小さい第２のサイズのＰＵＣＣＨリソースを用いてＨＡＲＱフィードバックを受信すること、を含む、基地局。
【請求項２１】
請求項１９又は２０の基地局であって、前記第２のサイズの前記ＨＡＲＱフィードバックは、複数の符号ブロックグループをまたいでバンドリングされる、基地局。
【請求項２２】
請求項１９〜２１のいずれか１項の基地局であって、
前記数のコンポーネントキャリアについての前記ダウンリンクスケジューリングは、前記数のコンポーネントキャリアの各々についてのダウンリンク割当てを含み、
前記第２のサイズは、コンポーネントキャリアの前記数に基づいて決定される、基地局。
【手続補正２】
【補正対象書類名】明細書
【補正対象項目名】００３６
【補正方法】変更
【補正の内容】
【００３６】
図４は、いくつかの実施形態に係るワイヤレスネットワークを示している。ここで説明した主題は任意の適したコンポーネントを用いる任意の適切なタイプのシステムにおいて実装されてよいものの、ここで開示した実施形態は、図４に示した例示的なワイヤレスネットワークなどのワイヤレスネットワークとの関連で説明される。簡明さのために、図４のワイヤレスネットワークでは、ネットワーク１０６、ネットワークノード１６０及びＷＤ１１０が描かれている。実際には、ワイヤレスネットワークは、固定電話、サービスプロバイダ又は何らかの他のネットワークノード若しくはエンドデバイスといった、ワイヤレスデバイス間の又はワイヤレスデバイスと他の通信デバイスとの間の通信をサポートするために適した任意の追加的なエレメントをさらに含んでよい。図示したコンポーネントのうち、ネットワークノード１６０及びワイヤレスデバイス（ＷＤ）１１０が追加的な詳細と共に描かれている。ワイヤレスネットワークは、当該ワイヤレスネットワークにより又は当該ワイヤレスネットワークを介して提供されるサービスに対するワイヤレスデバイスのアクセス及び／又はその使用を促進するために、１つ以上のワイヤレスデバイスへ通信及び他のタイプのサービスを提供し得る。
【手続補正３】
【補正対象書類名】明細書
【補正対象項目名】００５５
【補正方法】変更
【補正の内容】
【００５５】
図示したように、ＷＤ１１０は、アンテナ１１１、インタフェース１１４、処理回路１２０、デバイス読取可能な媒体１３０、ユーザインタフェース機器１３２、補助的機器１３４、電源１３６及び電力回路１１７を含む。ＷＤ１１０は、若干数を挙げるだけでも、例えばＧＳＭ、ＷＣＤＭＡ、ＬＴＥ、ＮＲ、ＷｉＦｉ、ＷｉＭＡＸ又はＢｌｕｅｔｏｏｔｈワイヤレス技術といった、ＷＤ１１０によりサポートされる様々なワイヤレス技術のための図示したコンポーネントの１つ以上の複数のセットを含んでもよい。それらワイヤレス技術は、ＷＤ１１０内の同一の若しくは異なるチップ又は他のコンポーネントとしてのチップのセットへ統合されてもよい。
【手続補正４】
【補正対象書類名】明細書
【補正対象項目名】００５７
【補正方法】変更
【補正の内容】
【００５７】
図示したように、インタフェース１１４は、無線フロントエンド回路１１２及びアンテナ１１１を含む。無線フロントエンド回路１１２は、１つ以上のフィルタ１１８及び増幅器１１６を含む。無線フロントエンド回路１１２は、アンテナ１１１及び処理回路１２０へ接続され、アンテナ１１１及び処理回路１２０の間で通信される信号を調整するように構成される。無線フロントエンド回路１１２は、アンテナ１１１へ連結されてもよく、又はアンテナ１１１の一部であってもよい。いくつかの実施形態において、ＷＤ１１０は、別個の無線フロントエンド回路１１２を含まなくてもよく、むしろ、処理回路１２０が、無線フロントエンド回路を含んでもよく、アンテナ１１１へ接続されてもよい。同様に、いくつかの実施形態において、ＲＦ送受信機回路１２２のいくつか又は全てがインタフェース１１４の一部であるとみなされてもよい。無線フロントエンド回路１１２は、無線接続を介して他のネットワークノード又はＷＤへ送出されるべきデジタルデータを受け付け得る。無線フロントエンド回路１１２は、そのデジタルデータを、フィルタ１１８及び／又は増幅器１１６の組み合わせを用いて、適切なチャネル及び帯域幅パラメータを有する無線信号へ変換し得る。そして、無線信号は、アンテナを介して送信され得る。
【手続補正５】
【補正対象書類名】明細書
【補正対象項目名】００６７
【補正方法】変更
【補正の内容】
【００６７】
図７は、ある実施形態に係る一例としてのユーザ機器（ＵＥ）を示している。ここで使用されるところでは、ユーザ機器あるいはＵＥは、関係するデバイスを所有し及び／又は操作する人間のユーザという意味でのユーザを必ずしも有していなくてもよい。その代わりに、ＵＥは、人間のユーザへの販売又は人間のユーザによる操作を意図されているが、少なくとも当初は特定の人間のユーザに関連付けられていないかもしれないデバイス（例えば、スマートスプリンクラーコントローラ）を表してもよい。代替的に、ＵＥは、エンドユーザへの販売又はエンドユーザによる操作を意図されず、ユーザの恩恵に関連付けられ又はユーザの恩恵のために運用され得るデバイス（例えば、スマートパワーメータ）を表してもよい。ＵＥ２００は、ＮＢ−ＩｏＴ  ＵＥ、マシンタイプ通信（ＭＴＣ）ＵＥ及び／又は拡張ＭＴＣ（ｅＭＴＣ）ＵＥを含む、第３世代パートナーシッププロジェクト（３ＧＰＰ）により識別される任意のＵＥであってもよい。図７に示した通りのＵＥ２００は、第３世代パートナーシッププロジェクト（３ＧＰＰ）のＧＳＭ、ＵＭＴＳ、ＬＴＥ及び／又は５Ｇ規格といった、３ＧＰＰにより発布された１つ以上の通信規格に従った通信のために構成されるＷＤの１つの例である。前に言及したように、ＷＤ及びＵＥという用語は、互換可能に使用されてよい。したがって、図７ではＵＥであるものの、ここで議論されるコンポーネントはＷＤにも等しく適用可能であり、逆もまたしかりである。
【手続補正６】
【補正対象書類名】明細書
【補正対象項目名】００６８
【補正方法】変更
【補正の内容】
【００６８】
図７において、ＵＥ２００は、入出力インタフェース２０５へ動作可能に連結される処理回路２０１、無線周波数（ＲＦ）インタフェース２０９、ネットワーク接続インタフェース２１１、ランダムアクセスメモリ（ＲＡＭ）２１７と読取専用メモリ（ＲＯＭ）２１９と記憶媒体２２１などを含むメモリ２１５、通信サブシステム２３１、電源２１３、及び／若しくは任意の他のコンポーネント、又はそれらの任意の組み合わせを含む。記憶媒体２２１は、オペレーティングシステム２２３、アプリケーションプログラム２２５及びデータ２２７を含む。他の実施形態において、記憶媒体２２１は、他の類似するタイプの情報を含んでもよい。あるＵＥは、図７に示したコンポーネントの全てを利用してもよく、又はそれらコンポーネントのサブセットのみを利用してもよい。コンポーネント間の統合のレベルは、あるＵＥと他のＵＥとで変化してよい。さらに、あるＵＥは、複数のプロセッサ、メモリ、送受信機、送信機、受信機などのように、コンポーネントの複数のインスタンスを含んでもよい。
【手続補正７】
【補正対象書類名】明細書
【補正対象項目名】００７８
【補正方法】変更
【補正の内容】
【００７８】
図８は、いくつかの実施形態により実装される機能が仮想化され得る仮想化環境３００を示す概略ブロック図である。本文脈において、装置又はデバイスの仮想的なバージョンを生成する仮想化手段は、仮想化ハードウェアプラットフォーム、記憶デバイス及びネットワーキングリソースを含み得る。ここで使用されるところでは、仮想化は、ノード（例えば、仮想化基地局若しくは仮想化無線アクセスノード）、デバイス（例えば、ＵＥ、ワイヤレスデバイス、若しくは任意の他のタイプの通信デバイス）、又はそれらのコンポーネントへ適用されることができ、その機能性の少なくとも一部が（例えば、１つ以上のネットワーク内の１つ以上の物理的な処理ノード上で稼働する１つ以上のアプリケーション、コンポーネント、機能、仮想マシン又はコンテナを介して）１つ以上の仮想コンポーネントとして実装される実装法に関する。
【手続補正８】
【補正対象書類名】明細書
【補正対象項目名】００７９
【補正方法】変更
【補正の内容】
【００７９】
いくつかの実施形態において、ここで説明される機能のいくつか又は全ては、ハードウェアノード３３０の１つ以上によりホスティングされる１つ以上の仮想環境３００内に実装される１つ以上の仮想マシンにより実行される仮想コンポーネントとして実装されてよい。さらに、仮想ノードが無線アクセスノードではなく又は無線接続性を要しない実施形態（例えば、コアネットワークノード）では、ネットワークノードが全体として仮想化されてもよい。
【手続補正９】
【補正対象書類名】明細書
【補正対象項目名】００８０
【補正方法】変更
【補正の内容】
【００８０】
上記機能は、ここで開示される実施形態のいくつかの特徴、機能及び／又は恩恵のいくつかを実装するように動作可能な１つ以上のアプリケーション３２０（代替的に、ソフトウェアインスタンス、仮想アプライアンス、ネットワーク機能、仮想ノード、仮想ネットワーク機能などと呼ばれてもよい）により実装され得る。アプリケーション３２０は、処理回路３６０及びメモリ３９０を含むハードウェア３３０を提供する仮想化環境３００において実行される。メモリ３９０は、処理回路３６０により実行可能な命令３９５を含み、それによりアプリケーション３２０はここで開示される特徴、恩恵及び／又は機能のうちの１つ以上を提供するように動作可能である。
【手続補正１０】
【補正対象書類名】明細書
【補正対象項目名】００８１
【補正方法】変更
【補正の内容】
【００８１】
仮想化環境３００は、１つ以上のプロセッサのセットを含む汎用の若しくは特殊目的のネットワークハードウェアデバイス３３０又は処理回路３６０を含み、それらは、ＣＯＴＳ（Commercial Off-The-Shelf）プロセッサ、専用ＡＳＩＣ、又はデジタル若しくはアナログのハードウェアコンポーネント若しくは特殊目的のプロセッサを含む任意の他のタイプの処理回路であってよい。各ハードウェアデバイスは、命令３９５又は処理回路３６０により実行されるソフトウェアを一時的に記憶するための非永続的なメモリであり得るメモリ３９０−１を含んでよい。各ハードウェアデバイスは、物理的なネットワークインタフェース３８０を含む、ネットワークインタフェースカードとしても知られる１つ以上のネットワークインタフェースコントローラ（ＮＩＣ）３７０を含んでもよい。また、各ハードウェアデバイスは、処理回路３６０により実行可能なソフトウェア３９５及び／又は命令を記憶した非一時的で永続的なマシン読取可能な記憶媒体３９０−２を含んでもよい。ソフトウェア３９５は、１つ以上の仮想化レイヤ（ハイパーバイザともいう）３５０をインスタンス化するためのソフトウェア、仮想マシン３４０を実行するためのソフトウェア、並びに、ここで説明されるいくつかの実施形態に関連して説明される機能、特徴、及び／又は恩恵をなすことを可能にするソフトウェアを含む、いかなるタイプのソフトウェアを含んでもよい。
【手続補正１１】
【補正対象書類名】明細書
【補正対象項目名】００８２
【補正方法】変更
【補正の内容】
【００８２】
仮想マシン３４０は、仮想処理、仮想メモリ、仮想ネットワーキング又はインタフェース、及び仮想ストレージを含み、対応する仮想化レイヤ３５０又はハイパーバイザにより実行され得る。仮想アプライアンス３２０のインスタンスの様々な実施形態が、仮想マシン３４０のうちの１つ以上において実装されてよく、その実装は、様々な手法でなされてよい。
【手続補正１２】
【補正対象書類名】明細書
【補正対象項目名】００８３
【補正方法】変更
【補正の内容】
【００８３】
動作中に、処理回路３６０は、ソフトウェア３９５を実行して、仮想マシンモニタ（ＶＭＭ）として言及されることもあり得るハイパーバイザ又は仮想化レイヤ３５０をインスタンス化する。仮想化レイヤ３５０は、仮想マシン３４０にとってネットワーキングハードウェアのように見える仮想動作プラットフォームを呈示する。
【手続補正１３】
【補正対象書類名】明細書
【補正対象項目名】００８４
【補正方法】変更
【補正の内容】
【００８４】
図８に示したように、ハードウェア３３０は、一般的な又は固有のコンポーネントを伴うスタンドアローンのネットワークノードであってもよい。ハードウェア３３０は、アンテナ３２２５を含んでもよく、仮想化を介していくつかの機能を実装してもよい。代替的に、ハードウェア３３０は、多数のハードウェアノードが協働し及びＭＡＮＯ（Management and Orchestration）３１００を介して管理される（例えば、データセンタ又は顧客構内機器（ＣＰＥ）内のもののような）より大規模なハードウェアのクラスタの一部であってもよく、ＭＡＮＯ３１００はとりわけアプリケーション３２０のライフサイクル管理を監督する。
【手続補正１４】
【補正対象書類名】明細書
【補正対象項目名】００８６
【補正方法】変更
【補正の内容】
【００８６】
ＮＦＶの文脈では、仮想マシン３４０は、物理的であって仮想化されていないマシン上であたかも実行されているかのようにプログラムを稼働させる物理マシンのソフトウェア実装であってよい。仮想マシン３４０の各々、及び当該仮想マシンを実行するハードウェア３３０の部分は、当該仮想マシンに専用のハードウェアであれ、及び／又は当該仮想マシンにより他の仮想マシン３４０と共用されるハードウェアであれ、別個の仮想ネットワークエレメント（ＶＮＥ）を形成する。
【手続補正１５】
【補正対象書類名】明細書
【補正対象項目名】００８７
【補正方法】変更
【補正の内容】
【００８７】
やはりＮＦＶの文脈において、仮想ネットワーク機能（ＶＮＦ）は、ハードウェアネットワーキング基盤３３０の最上位で１つ以上の仮想マシン３４０において稼働する固有のネットワーク機能を扱うことに責任を有し、図８におけるアプリケーション３２０に対応する。
【手続補正１６】
【補正対象書類名】明細書
【補正対象項目名】００８８
【補正方法】変更
【補正の内容】
【００８８】
いくつかの実施形態において、１つ以上の送信機３２２０及び１つ以上の受信機３２１０を各々含む１つ以上の無線ユニット３２００は、１つ以上のアンテナ３２２５へ連結され得る。無線ユニット３２００は、１つ以上の適切なネットワークインタフェースを介してハードウェアノード３３０と直接的に通信してもよく、無線アクセスノード又は基地局のように仮想ノードに無線ケイパビリティを提供するために仮想コンポーネントとの組み合わせで使用されてもよい。
【手続補正１７】
【補正対象書類名】明細書
【補正対象項目名】００８９
【補正方法】変更
【補正の内容】
【００８９】
いくつかの実施形態において、制御システム３２３０の使用と共に何らかのシグナリングを作用させることができ、それは代替的にハードウェアノード３３０及び無線ユニット３２００の間の通信のために使用されてもよい。
【手続補正１８】
【補正対象書類名】明細書
【補正対象項目名】０１３０
【補正方法】変更
【補正の内容】
【０１３０】
［６］
ワイヤレスデバイスからのＨＡＲＱフィードバックをスケジューリングするための基地局であって、
グループＢの実施形態のいずれかのステップ群のいずれかを実行するように構成される処理回路と、
前記基地局へ電力を供給するように構成される電力供給回路と、
を備える基地局。
【国際調査報告】
2020537377.tif 000018
2020537377.tif 000019
2020537377.tif 000020